(57)【要約】セルが高速移動性をサポートしているか否かを移動端末に通知し、配置されたセルが高速移動性をサポートしていると、前記移動端末がシグネチャインデックスを循環シフトＺＣ（Ｚａｄｏｆｆ−Ｃｈｕ）シーケンスに正確にマッピングできるようにすることにより端末のランダムアクセス手順が改善される。通信セルが高速移動性をサポートしているか否かの指示を受信する段階と、ランダムアクセスのために利用可能なシグネチャに対応するシーケンスを生成する段階と、前記生成されたシーケンスのうち選択された１つを用いてネットワークへのアクセスを要求する段階とを含み、ここで、高速移動性をサポートしているか否かに応じて前記シーケンスが生成されるか、あるいは高速移動性をサポートしているか否かに応じて前記生成されたシーケンスが選択されることを特徴とする移動端末とネットワーク間の通信リンク設定方法。
2010518724.tif 000002
【特許請求の範囲】
【請求項１】
通信セルが高速移動性をサポートしているか否かの指示を受信する段階と、
ランダムアクセスのために利用可能なシグネチャに対応するシーケンスを生成する段階と、
前記生成されたシーケンスのうち選択された１つを用いてネットワークへのアクセスを要求する段階とを含み、
ここで、高速移動性をサポートしているか否かに応じて前記シーケンスが生成されるか、あるいは高速移動性をサポートしているか否かに応じて前記生成されたシーケンスが選択されることを特徴とする移動端末とネットワーク間の通信リンク設定方法。
【請求項２】
前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含むことを特徴とする請求項１に記載の移動端末とネットワーク間の通信リンク設定方法。
【請求項３】
それぞれの利用可能なランダムアクセスシグネチャは、
高速移動性がサポートされていない場合、全ての可能な循環シフトされたＺＣシーケンスを利用して循環シフトされたＺＣシーケンスにマッピングされることを特徴とする請求項２に記載の移動端末とネットワーク間の通信リンク設定方法。
【請求項４】
それぞれの利用可能なランダムアクセスシグネチャは、
全ての可能なシーケンスのうちの限られたセットを利用して循環シフトされたＺＣシーケンスにマッピングされ、前記限られたセットは、シーケンスインデックスにより決定されることを特徴とする請求項２に記載の移動端末とネットワーク間の通信リンク設定方法。
【請求項５】
高速移動性をサポートしているプロセス、又は高速移動性をサポートしていないプロセスに従って、ランダムアクセスのために利用可能なシグネチャに対応するシーケンスを生成する段階と、
セルが高速移動性をサポートしているか否かの指示を送信する段階と、
前記生成されたシーケンスのうち選択された１つを用いたアクセス要求を移動端末から受信する段階と、
前記移動端末が前記生成されたシーケンスのいずれを利用したかを判断するために、前記受信された要求を前記生成されたシーケンスのそれぞれに関連付ける段階と
を含む移動端末とネットワーク間の通信リンク設定方法。
【請求項６】
前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含むことを特徴とする請求項５に記載の移動端末とネットワーク間の通信リンク設定方法。
【請求項７】
それぞれの利用可能なランダムアクセスシグネチャは、
高速移動性がサポートされていない場合、全ての可能な循環シフトされたＺＣシーケンスを利用して循環シフトされたＺＣシーケンスにマッピングされることを特徴とする請求項６に記載の移動端末とネットワーク間の通信リンク設定方法。
【請求項８】
それぞれの利用可能なランダムアクセスシグネチャは、
全ての可能なシーケンスのうちの限られたセットを利用して循環シフトされたＺＣシーケンスにマッピングされ、前記限られたセットは、シーケンスインデックスにより決定されることを特徴とする請求項６に記載の移動端末とネットワーク間の通信リンク設定方法。
【請求項９】
セルが高速移動性をサポートしているか否かの指示を受信する段階と、
前記指示を利用してネットワークへのアクセスを要求する段階とを含み、
ここで、前記指示は、循環シフトの限られた利用に関する情報を示すことを特徴とする移動端末とネットワーク間の通信リンク設定方法。
【請求項１０】
前記指示は、
１ビットで構成されることを特徴とする請求項９に記載の移動端末とネットワーク間の通信リンク設定方法。
【請求項１１】
前記ネットワークへのアクセスを要求する段階は、
ランダムアクセスのために利用可能なシグネチャに対応するシーケンスを生成する段階と、
前記生成されたシーケンスのうち選択された１つを用いてネットワークへのアクセスを要求する段階とを含み、
ここで、高速移動性がサポートされているか否かに応じて前記シーケンスが生成されるか、前記生成されたシーケンスが選択されることを特徴とする請求項９に記載の移動端末とネットワーク間の通信リンク設定方法。
【請求項１２】
前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含み、それぞれの利用可能なランダムアクセスシグネチャは、全ての可能なシーケンスのうちの限られたセットを利用して循環シフトされたＺＣシーケンスにマッピングされ、前記限られたセットは、前記指示により決定されることを特徴とする請求項１１に記載の移動端末とネットワーク間の通信リンク設定方法。
【請求項１３】
セルが高速移動性をサポートしているか否かの指示を送信する段階と、
移動端末からネットワークへのアクセス要求を受信する段階とを含み、
ここで、前記指示は、循環シフトの限られた利用に関する情報を示し、前記要求は、前記指示に基づくことを特徴とする移動端末とネットワーク間の通信リンク設定方法。
【請求項１４】
前記指示は、
１ビットで構成されることを特徴とする請求項１３に記載の移動端末とネットワーク間の通信リンク設定方法。
【請求項１５】
高速移動性をサポートしているプロセス、又は高速移動性をサポートしていないプロセスに従って、ランダムアクセスのために利用可能なシグネチャに対応するシーケンスを生成する段階と、
前記移動端末が前記生成されたシーケンスから選択された１つを用いたアクセス要求を前記移動端末から受信する段階と、
前記移動端末が前記生成されたシーケンスのいずれを利用したかを判断するために、前記受信された要求を前記生成されたシーケンスのそれぞれに関連付ける段階とを含む請求項１３に記載の移動端末とネットワーク間の通信リンク設定方法。
【請求項１６】
前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含み、それぞれの利用可能なランダムアクセスシグネチャは、全ての可能なシーケンスのうちの限られたセットを利用して循環シフトされたＺＣシーケンスにマッピングされ、前記限られたセットは、前記指示により決定されることを特徴とする請求項１５に記載の移動端末とネットワーク間の通信リンク設定方法。
【請求項１７】
移動端末とネットワーク間でメッセージを送受信する送受信部と、
ユーザインタフェース情報を表示するディスプレイ部と、
ユーザからの入力を受信する入力部と、
通信セルが高速移動性をサポートしているか否かに関して受信された指示を処理し、ランダムアクセスのために利用可能なシグネチャに対応するシーケンスを生成し、前記生成されたシーケンスから選択された１つを用いて前記ネットワークへのアクセスを要求するように前記送受信部を制御する処理部とを含み、
前記処理部は、高速移動性をサポートしているか否かに応じて前記シーケンスを生成するか、あるいは高速移動性をサポートしているか否かに応じて前記生成されたシーケンスを選択することを特徴とするネットワークとの通信リンク設定のための移動端末。
【請求項１８】
前記生成されたシーケンスは、循環シフトされたＺＣ（Ｚａｄｏｆｆ−Ｃｈｕ）シーケンスであり、前記処理部は、許容可能なシグネチャを循環シフトされたＺＣシーケンスにマッピングすることを特徴とする請求項１７に記載のネットワークとの通信リンク設定のための移動端末。
【請求項１９】
前記処理部は、
高速移動性がサポートされていない場合、全ての可能な循環シフトされたＺＣシーケンスを利用してそれぞれの利用可能なランダムアクセスシグネチャを循環シフトされたＺＣシーケンスにマッピングすることを特徴とする請求項１８に記載のネットワークとの通信リンク設定のための移動端末。
【請求項２０】
前記処理部は、全ての可能なシーケンスのうちの限られたセットを利用してそれぞれの利用可能なランダムアクセスシグネチャを循環シフトされたＺＣシーケンスにマッピングし、前記限られたセットは、シーケンスインデックスにより決定されることを特徴とする請求項１８に記載のネットワークとの通信リンク設定のための移動端末。
【請求項２１】
移動端末とネットワーク間でメッセージを送受信する送受信部と、
ユーザインタフェース情報を表示するディスプレイ部と、
ユーザからの入力を受信する入力部と、
セルが高速移動性をサポートしているか否かに関して受信された指示を処理し、前記指示を利用して前記ネットワークへのアクセスを要求するように前記送受信部を制御する処理部とを含み、
ここで、前記指示は、循環シフトの限られた利用に関する情報を示すことを特徴とするネットワークとの通信リンク設定のための移動端末。
【請求項２２】
前記指示は、
１ビットで構成されることを特徴とする請求項２１に記載のネットワークとの通信リンク設定のための移動端末。
【請求項２３】
前記処理部は、
ランダムアクセスのために利用可能なシグネチャに対応するシーケンスを生成し、前記生成されたシーケンスから選択された１つを用いて前記ネットワークへのアクセスを要求するように前記送受信部を制御し、
ここで、前記処理部は、高速移動性をサポートしているか否かに応じて前記シーケンスを生成するか、前記生成されたシーケンスを選択することを特徴とする請求項２１に記載のネットワークとの通信リンク設定のための移動端末。
【請求項２４】
前記生成されたシーケンスは、循環シフトされたＺＣ（Ｚａｄｏｆｆ−Ｃｈｕ）シーケンスであり、前記処理部は、許容可能なシグネチャを前記循環シフトされたＺＣシーケンスにマッピングし、それぞれの利用可能なランダムアクセスシグネチャは、全ての可能なシーケンスのうちの限られたセットを利用して循環シフトされたＺＣシーケンスにマッピングされ、前記限られたセットは、前記指示により決定されることを特徴とする請求項２３に記載のネットワークとの通信リンク設定のための移動端末。
【請求項２５】
移動端末にメッセージを送信する送信部と、
前記移動端末からメッセージを受信する受信部と、
ランダムアクセスのために利用可能なシグネチャに対応するシーケンスを生成し、高速移動性がサポートされているか否かに関する指示を送信するように前記送信部を制御し、前記生成されたシーケンスから選択された１つを利用する前記移動端末から受信されたアクセス要求を処理し、前記移動端末が前記生成されたシーケンスのいずれを利用したかを判断するために前記受信された要求を前記生成されたシーケンスのそれぞれに関連付ける制御部とを含み、
ここで、前記制御部は、高速移動性をサポートしているプロセス、又は高速移動性をサポートしていないプロセスに従って前記シーケンスを生成することを特徴とする移動端末との通信リンク設定のためのネットワーク。
【請求項２６】
前記生成されたシーケンスは、循環シフトされたＺＣ（Ｚａｄｏｆｆ−Ｃｈｕ）シーケンスであり、前記制御部は、許容可能なシグネチャを前記循環シフトされたＺＣシーケンスにマッピングすることを特徴とする請求項２５に記載の移動端末との通信リンク設定のためのネットワーク。
【請求項２７】
前記制御部は、
高速移動性がサポートされていない場合、全ての可能な循環シフトされたＺＣシーケンスを利用してそれぞれの利用可能なランダムアクセスシグネチャを循環シフトされたＺＣシーケンスにマッピングすることを特徴とする請求項２６に記載の移動端末との通信リンク設定のためのネットワーク。
【請求項２８】
前記制御部は、
全ての可能なシーケンスのうちの限られたセットを利用してそれぞれの利用可能なランダムアクセスシグネチャを循環シフトされたＺＣシーケンスにマッピングし、前記限られたセットは、シーケンスインデックスにより決定されることを特徴とする請求項２６に記載の移動端末との通信リンク設定のためのネットワーク。
【請求項２９】
移動端末にメッセージを送信する送信部と、
前記移動端末からメッセージを受信する受信部と、
セルが高速移動性をサポートしているか否かに関する指示を送信するように前記送信部を制御し、前記移動端末から受信されたネットワークへのアクセス要求を処理する制御部とを含み、
ここで、前記指示は、循環シフトの限られた利用に関する情報を示し、前記アクセス要求は、前記指示に基づくことを特徴とする移動端末との通信リンク設定のためのネットワーク。
【請求項３０】
前記指示は、
１ビットで構成されることを特徴とする請求項２９に記載の移動端末との通信リンク設定のためのネットワーク。
【請求項３１】
前記制御部は、
高速移動性をサポートしているプロセス、又は高速移動性をサポートしていないプロセスに従ってランダムアクセスのために利用可能なシグネチャに対応するシーケンスを生成し、
前記移動端末が前記アクセス要求を送信するとき、前記生成されたシーケンスのいずれを利用したかを判断するために前記受信されたアクセス要求を前記生成されたシーケンスのそれぞれに関連付ける動作をさらに行うことを特徴とする請求項２９に記載の移動端末との通信リンク設定のためのネットワーク。
【請求項３２】
前記生成されたシーケンスは、循環シフトされたＺＣ（Ｚａｄｏｆｆ−Ｃｈｕ）シーケンスであり、前記制御部は、許容可能なシグネチャを前記循環シフトされたＺＣシーケンスにマッピングし、それぞれの利用可能なランダムアクセスシグネチャは、全ての可能なシーケンスのうちの限られたセットを利用して循環シフトされたＺＣシーケンスにマッピングされ、前記限られたセットは、前記指示により決定されることを特徴とする請求項３１に記載の移動端末との通信リンク設定のためのネットワーク。
【発明の詳細な説明】
【技術分野】
【０００１】
本発明は、２００７年２月１２日付けで出願された米国仮出願番号６０／８８９，５２０の優先権を主張し、その全体的な内容は参照することにより本書に完全に組み込まれる。
【０００２】
本発明は、ネットワークへのアップリンク時間同期化及びアクセスを取得するための移動端末のランダムアクセス手順に関し、特に、セルが高速移動性をサポートしているか否かを移動端末に通知することにより、配置されたセルが高速移動性をサポートするとき、前記移動端末がシグネチャインデックスを循環シフトされたＺＣ（Ｚａｄｏｆｆ−Ｃｈｕ）シーケンスに正確にマッピングできるようにする装置及び方法に関する。
【背景技術】
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した無線通信サービスの提供を目標とする。ＵＭＴＳの標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成した。前記３ＧＰＰはＵＭＴＳ技術の詳細な標準規格を作成する。
【０００４】
３ＧＰＰでは、迅速かつ効率的なＵＭＴＳの技術開発を実現するために、ネットワーク要素とその動作に対する独立性を考慮してＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。各ＴＳＧは、関連領域内で標準規格の開発、承認、及びその管理を担当するが、そのうち、無線アクセスネットワーク（Ｒａｄｉｏ  Ａｃｃｅｓｓ  Ｎｅｔｗｏｒｋ：  ＲＡＮ）グループ（ＴＳＧ−ＲＡＮ）は、ＵＭＴＳにおいてＷＣＤＭＡ接続技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースに関する規格を開発する。
【発明の概要】
【課題を解決するための手段】
【０００５】
図１は、ＵＭＴＳネットワークの概要図である。前記ＵＭＴＳネットワークは、移動端末又はユーザ装置（ＵＥ）１、ＵＴＲＡＮ２、及びコアネットワーク（ＣＮ）３から構成される。
【０００６】
ＵＴＲＡＮ２は、Ｉｕｂインタフェースで接続される複数の無線ネットワーク制御装置（ｒａｄｉｏ  ｎｅｔｗｏｒｋ  ｃｏｎｔｒｏｌｌｅｒ：ＲＮＣ）４とＮｏｄｅＢ５から構成される。各ＲＮＣ４は、複数のＮｏｄｅＢ５を制御する。各ＮｏｄｅＢ５は、１つ又は複数のセルを制御でき、１つのセルは所定周波数で所定地理的領域をカバーできる。
【０００７】
各ＲＮＣ４は、ＩｕインタフェースでＣＮ３、又は、前記ＣＮのＭＳＣ（Ｍｏｂｉｌｅ−ｓｅｒｖｉｃｅｓ  Ｓｗｉｔｃｈｉｎｇ  Ｃｅｎｔｅｒ）エンティティ６及びＳＧＳＮ（Ｓｅｒｖｉｎ  ＧＰＲＳ  Ｓｕｐｐｏｒｔ  Ｎｏｄｅ）エンティティ７と接続される。ＲＮＣ４は、Ｉｕｒインタフェースで他のＲＮＣと接続される。ＲＮＣ４は、無線リソースの割り当て及び管理を担当し、ＣＮ３へのアクセスポイントの役割を果たす。
【０００８】
ＮｏｄｅＢ５は、アップリンクでＵＥ１の物理層により伝送された情報を受信し、ダウンリンクでデータをＵＥ１に伝送する。ＮｏｄｅＢ５は、ＵＥへのＵＴＲＡＮ２のアクセスポイントの役割を果たす。
【０００９】
ＳＧＳＮ７は、ＧｆインタフェースでＥＩＲ（Ｅｑｕｉｐｍｅｎｔ  Ｉｄｅｎｔｉｔｙ  Ｒｅｇｉｓｔｅｒ）８と、ＧｓインタフェースでＭＳＣ６と、ＧＮインタフェースでＧＧＳＮ（Ｇａｔｅｗａｙ  ＧＰＲＳ  Ｓｕｐｐｏｒｔ  Ｎｏｄｅ）９と、ＧｒインタフェースでＨＳＳ（Ｈｏｍｅ  Ｓｕｂｓｃｒｉｂｅｒ  Ｓｅｒｖｉｃｅ）と接続される。
【００１０】
ＥＩＲ８は、ネットワーク上で利用できるＵＥ１のリストを提供する。さらに、ＥＩＲ８は、ネットワーク上で利用できない端末のリストを提供する。
【００１１】
回線交換（ｃｉｒｃｕｉｔ  ｓｗｉｔｃｈ：ＣＳ）サービスの接続を制御するＭＳＣ６は、ＮＢインタフェースでＭＧＷ（Ｍｅｄｉａ  Ｇａｔｅｗａｙ）１１と、ＦインタフェースでＥＩＲ８と、ＤインタフェースでＨＳＳ１０と接続される。
【００１２】
ＭＧＷ１１は、ＣインタフェースでＨＳＳ１０と接続され、ＰＳＴＮ（Ｐｕｂｌｉｃ  Ｓｗｉｔｃｈｅｄ  Ｔｅｌｅｐｈｏｎｅ  Ｎｅｔｗｏｒｋ）と接続される。ＭＧＷ１１は、前記ＰＳＴＮと前記接続されたＲＡＮとの間のコーデックの適用を可能にする。
【００１３】
ＧＧＳＮ９は、ＧｃインタフェースでＨＳＳ１０と、ＧＩインタフェースでインターネットと接続される。ＧＧＳＮ９は、他の無線アクセスベアラ（ｒａｄｉｏ  ａｃｃｅｓｓ  ｂｅａｒｅｒ：ＲＡＢ）へのデータフローのルーティング、課金、及び分離を担当する。ＨＳＳ１０は、ユーザの加入データを取り扱う。
【００１４】
ＵＴＲＡＮ２は、ＵＥ１とＣＮ３間の通信のためにＲＡＢを構成及び維持する。ＣＮ３は、前記ＲＡＢにエンドツーエンドサービス品質（ＱｏＳ）要求事項を要求し、前記ＲＡＢは、前記コアネットワークにより設定された前記ＱｏＳ要求事項をサポートする。従って、ＵＴＲＡＮ２は、前記ＲＡＢを構成及び維持することにより、エンドツーエンドＱｏＳ要求事項を満たす。
【００１５】
特定ＵＥ１に提供されるサービスは、ＣＳサービスとパケット交換（ｐａｃｋｅｔ  ｓｗｉｔｃｈｅｄ：ＰＳ）サービスに大別される。例えば、一般的な音声対話サービスは、ＣＳサービスであり、インターネット接続によるウェブブラウジングサービスは、ＰＳサービスとして分類される。
【００１６】
ＣＳサービスをサポートするために、ＲＮＣ４は、ＣＮ３のＭＳＣ６に接続され、ＭＳＣ６は、他のネットワークとの接続を管理するＧＭＳＣ（ｇａｔｅｗａｙ  ｍｏｂｉｌｅ  ｓｗｉｔｃｈｉｎｇ  ｃｅｎｔｅｒ）に接続される。ＰＳサービスをサポートするために、ＲＮＣ４は、ＣＮ３のＳＧＳＮ７及びＧＧＳＮ９と接続される。
【００１７】
ＳＧＳＮ７は、前記ＲＮＣとのパケット通信をサポートする。ＧＧＳＮ９は、インターネットのような他のパケット交換ネットワークとの接続を管理する。
【００１８】
図２は、３ＧＰＰ無線接続ネットワーク標準に準拠したＵＥ１とＵＴＲＡＮ２間の無線インタフェースプロトコルの構造を示す。図２に示すように、前記無線インタフェースプロトコルは、物理層、データリンク層、及びネットワーク層から構成される水平層と、ユーザデータの転送のためのユーザプレーン（Ｕｓｅｒ  Ｐｌａｎｅ：  Ｕ−ｐｌａｎｅ）及び制御情報の転送のための制御プレーン（Ｃｏｎｔｒｏｌ  Ｐｌａｎｅ：  Ｃ−ｐｌａｎｅ）から構成される垂直プレーンからなる。前記Ｕ−プレーンは、音声やＩＰパケットのようなユーザのトラヒック情報を取り扱う領域である。前記Ｃ−プレーンは、ネットワークのインタフェース、呼の維持及び管理などに関する制御情報を取り扱う領域である。前記プロトコル層は、開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層（Ｌ１）、第２層（Ｌ２）、第３層（Ｌ３）に区分される。
【００１９】
第１層（Ｌ１）、又は物理層は、多様な無線伝送技術を利用して上位層に情報転送サービス（Ｉｎｆｏｒｍａｔｉｏｎ  Ｔｒａｎｓｆｅｒ  Ｓｅｒｖｉｃｅ）を提供する。前記物理層は、上位層である媒体アクセス制御（Ｍｅｄｉａ  Ａｃｃｅｓｓ  Ｃｏｎｔｒｏｌ：  ＭＡＣ）層にトランスポートチャネルで接続される。前記ＭＡＣ層と物理層は前記トランスポートチャネルでデータを交換する。
【００２０】
第２層（Ｌ２）は、ＭＡＣ層、無線リンク制御（Ｒａｄｉｏ  Ｌｉｎｋ  Ｃｏｎｔｒｏｌ：  ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。前記ＭＡＣ層は、論理チャネルとトランスポートチャネル間のマッピングを管理し、無線リソースの割り当て及び再割り当てのためのＭＡＣパラメータの割り当てサービスを提供する。前記ＭＡＣ層は、上位層であるＲＬＣ層と論理チャネルで接続される。
【００２１】
転送情報の種類によって多様な論理チャネルが提供される。一般に、Ｃ−制御プレーンの情報を転送する場合は制御チャネルが利用され、Ｕ−プレーンの情報を転送する場合はトラヒックチャネルが利用される。論理チャネルは、その論理チャネルを共有しているか否かによって共通チャネル（Ｃｏｍｍｏｎ  Ｃｈａｎｎｅｌ）又は専用チャネル（Ｄｅｄｉｃａｔｅｄ  Ｃｈａｎｎｅｌ）になる。
【００２２】
図３は、既存の多様な論理チャネルを示す。論理チャネルは、専用トラヒックチャネル（Ｄｅｄｉｃａｔｅｄ  Ｔｒａｆｆｉｃ  Ｃｈａｎｎｅｌ：  ＤＴＣＨ）、専用制御チャネル（Ｄｅｄｉｃａｔｅｄ  Ｃｏｎｔｒｏｌ  Ｃｈａｎｎｅｌ：  ＤＣＣＨ）、共通トラヒックチャネル（Ｃｏｍｍｏｎ  Ｔｒａｆｆｉｃ  Ｃｈａｎｎｅｌ：  ＣＴＣＨ）、共通制御チャネル（Ｃｏｍｍｏｎ  Ｃｏｎｔｒｏｌ  Ｃｈａｎｎｅｌ：  ＣＣＣＨ）、ブロードキャスト制御チャネル（Ｂｒｏａｄｃａｓｔ  Ｃｏｎｔｒｏｌ  Ｃｈａｎｎｅｌ：  ＢＣＣＨ）、並びにページング制御チャネル（Ｐａｇｉｎｇ  Ｃｏｎｔｒｏｌ  Ｃｈａｎｎｅｌ：  ＰＣＣＨ）もしくはＳＨＣＣＨ（Ｓｈａｒｅｄ  Ｃｈａｎｎｅｌ  Ｃｏｎｔｒｏｌ  Ｃｈａｎｎｅｌ）だけでなく他のチャネルも含む。前記ＢＣＣＨは、システムにアクセスするために、ＵＥ１が活用する情報を含む情報を提供する。前記ＰＣＣＨは、ＵＥ１にアクセスするためにＵＴＲＡＮ２によって利用される。
【００２３】
マルチメディアブロードキャスト／マルチキャストサービス（ＭＢＭＳ）をサポートするために、さらなるトラヒックチャネル及び制御チャネルがＭＢＭＳ標準に記載されている。ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）を利用してＭＢＭＳ制御情報を伝送し、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）を利用してＭＢＭＳサービスデータを伝送する。前記ＭＢＭＳは、ＭＳＣＨを利用してスケジューリング情報を伝送する。
【００２４】
前記ＭＡＣ層は、トランスポートチャネルにより物理層と接続され、管理するトランスポートチャネルの種類によってＭＡＣ−ｂサブレイヤ、ＭＡＣ−ｄサブレイヤ、ＭＡＣ−ｃ／ｓｈサブレイヤ、ＭＡＣ−ｈｓサブレイヤ、ＭＡＣ−ｍサブレイヤに区分される。
【００２５】
前記ＭＡＣ−ｂサブレイヤは、システム情報のブロードキャストを担当するトランスポートチャネルであるブロードキャストチャネル（Ｂｒｏａｄｃａｓｔ  Ｃｈａｎｎｅｌ：  ＢＣＨ）を管理する。前記ＭＡＣ−ｃ／ｓｈサブレイヤは、複数のＵＥ１が共有するＦＡＣＨ（Ｆｏｒｗａｒｄ  Ａｃｃｅｓｓ  Ｃｈａｎｎｅｌ）もしくはＤＳＣＨ（Ｄｏｗｎｌｉｎｋ  ｓｈａｒｅｄ  ｃｈａｎｎｅｌ）などの共通伝送チャネル、又は、アップリンクでＲＡＣＨ（Ｒａｄｉｏ  Ａｃｃｅｓｓ  Ｃｈａｎｎｅｌ）を管理する。前記ＭＡＣ−ｍサブレイヤは、ＭＢＭＳデータを管理する。
【００２６】
図４は、ＵＥ１の観点から論理チャネルとトランスポートチャネル間の可能なマッピングを示す。図５は、ＵＴＲＡＮ２の観点から論理チャネルとトランスポートチャネル間の可能なマッピングを示す。
【００２７】
前記ＭＡＣ−ｄサブレイヤは、特定ＵＥ１のための専用トランスポートチャネルである専用チャネル（Ｄｅｄｉｃａｔｅｄ  Ｃｈａｎｎｅｌ：  ＤＣＨ）を管理する。前記ＭＡＣ−ｄサブレイヤは、該当ＵＥ１を管理するＳＲＮＣ（Ｓｅｒｖｉｎｇ  Ｒａｄｉｏ  Ｎｅｔｗｏｒｋ  Ｃｏｎｔｒｏｌｌｅｒ）に位置し、１つのＭＡＣ−ｄサブレイヤが各ＵＥ１内に存在する。
【００２８】
前記ＲＬＣ層は、ＲＬＣ動作モードによって信頼性のあるデータの伝送をサポートし、上位層から伝送された複数のＲＬＣサービスデータユニット（Ｓｅｒｖｉｃｅ  Ｄａｔａ  Ｕｎｉｔ：ＳＤＵ）の分割及び連結機能を果たす。
【００２９】
前記ＲＬＣ層は、上位層から前記ＲＬＣ  ＳＤＵを受信すると、処理容量に応じた適切な方法でそれぞれのＲＬＣ  ＳＤＵのサイズを調節した後、ヘッダ情報を加えて所定のデータユニットを生成する。前記データユニット又はプロトコルデータユニット（Ｐｒｏｔｏｃｏｌ  Ｄａｔａ  Ｕｎｉｔ：ＰＤＵ）は、論理チャネルで前記ＭＡＣ層に伝送される。前記ＲＬＣ層は、前記ＲＬＣ  ＳＤＵ及び／又はＲＬＣ  ＰＤＵを保存するためのＲＬＣバッファを含む。
【００３０】
前記ＢＭＣ層は、ＣＮ３から受信されたセルブロードキャスト（Ｃｅｌｌ  Ｂｒｏａｄｃａｓｔ：  ＣＢ）メッセージをスケジューリングし、前記ＣＢメッセージを特定セルに位置するＵＥ１にブロードキャストする。
【００３１】
パケットデータコンバージェンスプロトコル（ＰＤＣＰ）層は、ＲＬＣ層の上位に位置し、ＩＰｖ４やＩＰｖ６のようなネットワークプロトコルで伝送されるデータを相対的に狭い帯域幅を有する無線インタフェース上で効率的に伝送するために利用される。このために、前記ＰＤＣＰ層は、有線ネットワークにおいて利用される不必要な制御情報を減らす機能を果たし、この機能をヘッダ圧縮と言う。
【００３２】
無線リソース制御（Ｒａｄｉｏ  Ｒｅｓｏｕｒｃｅ  Ｃｏｎｔｒｏｌ：ＲＲＣ）層は、第３層（Ｌ３）の最下部に位置し、Ｃ−プレーンにおいてのみ定義される。前記ＲＲＣ層は、無線ベアラ（Ｒａｄｉｏ  Ｂｅａｒｅｒ：  ＲＢ）の設定、再設定、及び解除に関連して論理チャネル、トランスポートチャネル及び物理チャネルを制御する。
【００３３】
ＲＢは、ＵＥ１とＵＴＲＡＮ２間のデータ伝送のために第２層（Ｌ２）により提供されるサービスである。一般に、ＲＢの設定とは、特定データサービスの提供のために必要なプロトコル層とチャネルの特性を規定し、具体的なパラメータ及び動作方法を設定する過程を意味する。また、前記ＲＲＣは、前記無線接続ネットワークにおけるユーザの移動性及びロケーションサービスなどの付加サービスを管理する。
【００３４】
所定ＵＥ１のための無線ベアラとトランスポートチャネル間のマッピングの様々な可能性が常に成立するわけではない。ＵＥ１／ＵＴＲＡＮ２は、ＵＥの状態やＵＥ／ＵＴＲＡＮが現在行っている過程によって可能なマッピングを推定する。
【００３５】
異なるトランスポートチャネルは、異なる物理チャネルにマッピングされる。物理チャネルの設定は、ＲＮＣ４とＵＥ１間のＲＲＣシグナル交換により行われる。
【００３６】
初期アクセス（ｉｎｉｔｉａｌ  ａｃｃｅｓｓ）は、ＵＥ１が共通アップリンクチャネル、特に、ＲＡＣＨ（Ｒａｎｄｏｍ  Ａｃｃｅｓｓ  Ｃｈａｎｎｅｌ）を利用してＵＴＲＡＮ２に第１メッセージを送信する手順である。ＧＳＭ及びＵＭＴＳシステムの場合、前記初期アクセス手順は、ＵＥ１が要求理由を含む接続要求メッセージ（ｃｏｎｎｅｃｔｉｏｎ  ｒｅｑｕｅｓｔ  ｍｅｓｓａｇｅ）を送信する過程と、ＵＴＲＡＮ２から前記要求された理由に対して無線リソース割り当てを示す応答を受信する過程とを含む。
【００３７】
設定原因（ｅｓｔａｂｌｉｓｈｍｅｎｔ  ｃａｕｓｅｓ）や複数の理由が接続要求メッセージを送信するために存在する。表Ｉは、ＵＭＴＳ、特に、３ＧＰＰ  ＴＳ  ２５．３３１において特定された設定原因を示す。
【００３８】
「呼発信（ｏｒｉｇｉｎａｔｉｎｇ  ｃａｌｌ）」という設定原因は、ＵＥ１が接続、例えば、スピーチ接続（ｓｐｅｅｃｈ  ｃｏｎｎｅｃｔｉｏｎ）設定を希望することを意味する。「呼着信（ｔｅｒｍｉｎａｔｉｎｇ  ｃａｌｌ）」という設定原因は、ＵＥ１がページングに応答することを意味する。「登録（ｒｅｇｉｓｔｒａｔｉｏｎ）」という設定原因は、ユーザがネットワークへの登録のみを望むことを意味する。
【００３９】
物理ランダムアクセス手順（ｐｈｙｓｉｃａｌ  ｒａｎｄｏｍ  ａｃｃｅｓｓ  ｐｒｏｃｅｄｕｒｅ）は、無線で情報を送信するために利用される。前記物理ランダムアクセス手順は、優先順位及び負荷制御に関連した主要な機能を行う上位層プロトコルにより制御される。この手順は、ＧＳＭとＵＭＴＳ無線システムとでは異なる。
【００４０】
ＧＳＭランダムアクセス手順についての説明は、１９９２年にＭ．Ｍｏｕｌｙ及びＭ．Ｂ．Ｐａｕｔｅｔにより出版された『Ｔｈｅ  ＧＳＭ  ｓｙｓｔｅｍ  ｆｏｒ  Ｍｏｂｉｌｅ  Ｃｏｍｍｕｎｉｃａｔｉｏｎｓ』に開示されている。本発明はＵＭＴＳ向上及び進化に関連しているため、以下、ＷＣＤＭＡランダムアクセス手順について詳細に説明する。本発明は、ＵＭＴＳ進化のコンテキストにおいて説明されるが、本発明は、これに限定されるものではない。
【００４１】
このような手順においては、トランスポートチャネルＲＡＣＨ及び２つの物理チャネル（ＰＲＡＣＨ（Ｐｈｙｓｉｃａｌ  Ｒａｎｄｏｍ  Ａｃｃｅｓｓ  Ｃｈａｎｎｅｌ）及びＡＩＣＨ（Ａｃｑｕｉｓｉｔｉｏｎ  Ｉｎｄｉｃａｔｉｏｎ  Ｃｈａｎｎｅｌ））が活用される。トランスポートチャネルは、物理層がＭＡＣ層のプロトコル層に提供するチャネルである。物理層を介して異なる属性及び伝送フォーマットを有するデータを伝送するために、様々なタイプのトランスポートチャネルが存在する。
【００４２】
物理チャネルは、ＦＤＤ（Ｆｒｅｑｕｅｎｃｙ  Ｄｉｖｉｓｉｏｎ  Ｄｕｐｌｅｘ）モードでコード及び周波数により識別され、一般に、無線フレーム及びタイムスロットの層構成（ｌａｙｅｒ  ｃｏｎｆｉｇｕｒａｔｉｏｎ）に基づく。無線フレーム及びタイムスロットの形態は物理チャネルのシンボルレートに依存する。
【００４３】
無線フレームは、デコーディング過程における最小単位であり、１５個のタイムスロットから構成される。タイムスロットは、第１層のビット列における最小単位である。従って、１つのタイムスロットに収容できるビットの数は、物理チャネルに依存する。
【００４４】
【表１】
2010518724.tif 000003
前記トランスポートチャネルＲＡＣＨは、制御情報及びユーザデータを伝送するために利用されるアップリンク共通チャネルである。前記トランスポートチャネルＲＡＣＨは、ランダムアクセスに活用され、上位層からの低速（ｌｏｗ−ｒａｔｅ）データ伝送に利用される。前記ＲＡＣＨは、アップリンク物理チャネル、特に、ＰＲＡＣＨにマッピングされる。前記ＡＩＣＨは、ランダムアクセス制御に利用されるＰＲＡＣＨと一対で存在するダウンリンク共通チャネルである。
【００４５】
ＰＲＡＣＨの送信は、高速取得指示（ｆａｓｔ  ａｃｑｕｉｓｉｔｉｏｎ  ｉｎｄｉｃａｔｉｏｎ）を用いるＳｌｏｔｔｅｄ  ＡＬＯＨＡアプローチに基づく。前記ＵＥは、ランダムにアクセスリソースを選択し、ランダムアクセス手順のＲＡＣＨプリアンブル部分を前記ネットワークに送信する。
【００４６】
プリアンブルは、ＲＡＣＨ接続要求メッセージの送信前に送信される短い信号である。ＵＥ１は、ＵＴＲＡＮ２が前記プリアンブルを検出することを示すＡＩＣＨ（取得インジケータチャネル）でＡＩ（Ａｃｑｕｉｓｉｔｉｏｎ  Ｉｎｄｉｃａｔｏｒ：取得インジケータ）を受信するまで、プリアンブルが送信される毎に送信電力を増加させて前記プリアンブルを繰り返し送信する。ＵＥ１は、前記ＡＩを受信すると、プリアンブルの送信を中断し、その時点でプリアンブル送信電力と同一の電力レベルのメッセージ部分、及びＵＴＲＡＮ２によりシグナリングされたオフセットを追加して送信する。図６は、電力ランピング手順（ｐｏｗｅｒ  ｒａｍｐｉｎｇ  ｐｒｏｃｅｄｕｒｅ）を示す。
【００４７】
このランダムアクセス手順は、メッセージ全体にわたって電力ランピング手順を回避する。この電力ランピング手順は、送信に失敗したメッセージにより多くの干渉を発生し、メッセージの受信に成功したという応答（ａｃｋｎｏｗｌｅｄｇｅｍｅｎｔ）が送信されるまで前記メッセージのデコーディングに長時間かかるので、より大きな遅延により効率が悪くなる。
【００４８】
ＲＡＣＨの主な特徴であるコンテンションベースチャネル（ｃｏｎｔｅｎｔｉｏｎ  ｂａｓｅｄ  ｃｈａｎｎｅｌ）とは、複数のユーザの同時アクセスにより衝突が発生するため、初期アクセスメッセージがネットワークによりデコーディングされないことを意味する。ＵＥ１は、アクセススロットの初期にのみプリアンブルとメッセージの両方のランダムアクセス送信を開始できる。従って、このような種類のアクセス方式は、高速取得指示を用いるＳｌｏｔｔｅｄ  ＡＬＯＨＡアプローチの１つのタイプである。
【００４９】
前記ＲＡＣＨと前記ＡＩＣＨの時間軸は、時間間隔とアクセススロットに分けられる。２つのフレームに１５個のアクセススロット（１フレームは長さ１０ｍｓ又は３８４００チップ）があり、互いに１．３３ｍｓ（又は、５１２０チップ）離れている。図７は、アクセススロットの数及びこれらの間隔（ｓｐａｃｉｎｇ）を示す。
【００５０】
ＵＴＲＡＮ２は、ランダムアクセス送信のために利用可能なアクセススロットに関する情報、並びにＲＡＣＨとＡＩＣＨ間、２つの連続的なプリアンブル間、及び最後のプリアンブルとメッセージ間で利用されるタイミングオフセットに関する情報をシグナリングする。例えば、前記ＡＩＣＨ送信タイミングが０又は１である場合、前記最後のプリアンブルアクセススロットが送信された後、３つ及び４つのアクセススロットがそれぞれ送信される。図８は、プリアンブル、ＡＩ、及びメッセージ部分のタイミングを示す。
【００５１】
ＵＥ１がプリアンブルを送信できるタイミングは、ランダムアクセスサブチャネルにより区分される。ランダムアクセスサブチャネルは、全てのアップリンクアクセススロットの組み合わせを含むサブセットであり、１２個のランダムアクセスサブチャネルが存在する。ランダムアクセスサブチャネルは、表ＩＩに示すアクセススロットから構成される。
【００５２】
【表２】
2010518724.tif 000004
前記プリアンブルは、ＲＡＣＨメッセージの送信前に送信される短い信号である。プリアンブルが４０９６チップから構成されるが、これは、長さ１６のアダマールコード（Ｈａｄａｍａｒｄ  ｃｏｄｅ）及び前記上位層から割り当てられたスクランブリングコードの２５６回繰り返しのシーケンスである。
【００５３】
前記アダマールコードは、プリアンブルのシグネチャと呼ばれる。１６個の異なるシグネチャがあり、ＡＳＣ（ａｃｃｅｓｓ  ｓｅｒｖｉｃｅ  ｃｌａｓｓ）に基づいて利用可能シグネチャセットから１つのシグネチャがランダムに選択されてプリアンブル部分の送信毎に２５６回繰り返される。表ＩＩＩは、プリアンブルシグネチャのリストを示す。
【００５４】
前記メッセージ部分は、プリアンブルシグネチャのために利用される拡散コード、及び前記プリアンブルシグネチャにより固有に定義されたＯＶＳＦコードにより拡散される。長さ１０ｍｓの前記メッセージ部分無線フレームは、１５個のスロットに分けられ、各スロットは、２５６０チップから構成される。
【００５５】
【表３−１】
2010518724.tif 000005
【００５６】
【表３−２】
2010518724.tif 000006
各スロットは、データ部分と、パイロットビット及びＴＦＣＩなどの制御情報を伝送する制御部分とから構成される。前記データ部分及び前記制御部分は、同時に（ｉｎ  ｐａｒａｌｌｅｌ）伝送される。長さ２０ｍｓのメッセージ部分は、２つの連続的なメッセージ部分無線フレームから構成される。前記データ部分は、２５６、１２８、６４、３２の拡散率（Ｓｐｒｅａｄｉｎｇ  Ｆａｃｔｏｒ：ＳＦ）に該当する１０×２ｋビット（ｋ＝０、１、２、３）からなる。図９は、ランダムアクセスメッセージ部分の構造を示す。
【００５７】
前記ＡＩＣＨは、１５個の連続的なアクセススロットの繰り返しシーケンスから構成され、各スロットは、４０ビット間隔（又は、５１２０チップ）の長さを有する。各アクセススロットは、２つの部分からなり、１つは３２個の実数値信号ａ０、…、ａ３１からなる取得インジケータ（ＡＩ）部分であり、他の１つは、伝送がスイッチオフされた１０２４チップの長さを有する部分である。図１０は、前記ＡＩＣＨの構造を示す。
【００５８】
ＵＴＲＡＮ２がＲＡＣＨアクセススロットで所定シグネチャを有するＲＡＣＨプリアンブルの送信を検出すると、前記ＵＴＲＡＮは、関連ＡＩＣＨアクセススロットでこのシグネチャを繰り返す。従って、ＲＡＣＨプリアンブルのためのシグネチャとして利用されたアダマールコードがＡＩＣＨのＡＩ部分に調整される。
【００５９】
シグネチャに対応する取得インジケータは、肯定応答（ｐｏｓｉｔｉｖｅ  ａｃｋｎｏｗｌｅｄｇｅｍｅｎｔ：ＡＣＫ）、否定応答（ｎｅｇａｔｉｖｅ  ａｃｋｎｏｗｌｅｄｇｅｍｅｎｔ：ＮＡＣＫ）、又は無応答のいずれが特定シグネチャに受信されたかによって、＋１、−１、及び０の値を有する。前記シグネチャの肯定極性（ｐｏｓｉｔｉｖｅ  ｐｏｌａｒｉｔｙ）は、プリアンブルが取得され、メッセージが伝送できることを示す。
【００６０】
否定極性（ｎｅｇａｔｉｖｅ  ｐｏｌａｒｉｔｙ）は、前記プリアンブルが取得され、電力ランピング手順が中断されなければならず、前記メッセージが伝送されてはならないことを示す。このような否定応答は、ＵＴＲＡＮ２で輻輳状態が発生して受信されたプリアンブルが現在処理できない場合に利用され、ＵＥ１は、所定時間後にアクセス試行を繰り返さなければならない。
【００６１】
全てのＵＥ１は、０〜９のアクセスクラスに定義された、１０個のランダムに割り当てられた移動集団（ｍｏｂｉｌｅ  ｐｏｐｕｌａｔｉｏｎｓ）の１つのメンバーである。前記集団数は、ＳＩＭ（ｓｕｂｓｃｒｉｂｅｒ  ｉｄｅｎｔｉｔｙ  ｍｏｄｕｌｅ）／ＵＳＩＭ（ｕｎｉｖｅｒｓａｌ  ｓｕｂｓｃｒｉｂｅｒ  ｉｄｅｎｔｉｔｙ  ｍｏｄｕｌｅ）に保存される。また、ＵＥ１は、１１〜１５のアクセスクラスを有する５つの特別なカテゴリーの１つ以上のメンバーである。このようなカテゴリーは、優先順位が高い特定ユーザに次のとおり割り当てられ、前記情報も前記ＳＩＭ／ＵＳＩＭに保存される。表ＩＶは、特定ＡＣ及びそれらの割り当てリストを示す。
【００６２】
【表４】
2010518724.tif 000007
ＵＴＲＡＮ２は、主にＵＥの属する前記ＡＣに基づいてＵＥ１に無線アクセスリソースの利用を許可するか否かを決定することにより、プロトコル層Ｌ２でランダムアクセス手順を行う。
【００６３】
特定環境下で、ＵＥ１ユーザがアクセス試行（緊急呼試行を含む）、又は、ＰＬＭＮ（Ｐｕｂｌｉｃ  Ｌａｎｄ  Ｍｏｂｉｌｅ  Ｎｅｔｗｏｒｋ）の特定地域でのページングに対する応答を防止することが好ましい。このような状況は、緊急事態中に発生するか、又は、１もしくはそれ以上の共同設置（ｃｏ−ｌｏｃａｔｅｄ）ＰＬＭＮの１つが失敗した場合に発生する。ブロードキャストメッセージは、ネットワークアクセスで禁止された加入者のクラスを示すセル毎に利用可能でなければならない。このような機能を利用することにより、ネットワークオペレータは、危機状態でアクセスチャネルの過負荷を防止できる。
【００６４】
ＵＥ１が無線インタフェースを介してシグナリングされたように前記許可されたクラスに対応する少なくとも１つのＡＣのメンバーであり、前記ＡＣがサービングＵＴＲＡＮ２内で適用できる場合、アクセス試行が可能である。そうでない場合は、アクセス試行は不可能である。ＡＣは、その数に関係なく、ある一時点で禁止されることがある。アクセスクラスは、表Ｖに示すように適用される。
【００６５】
【表５】
2010518724.tif 000008
ＡＣ１０に対する追加制御ビットは、無線インタフェースを介してＵＥ１に再びシグナリングされる。このような制御ビットは、０〜９のアクセスクラスを有するＵＥ１がアクセスクラス０〜９を利用した場合に緊急呼のためにＵＴＲＡＮ２へのアクセスが許可されるか、又は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）がなくてもＵＴＲＡＮ２へのアクセスが許可されるかを示す。アクセスクラス１１〜１５を利用するＵＥ１の場合、ＡＣ１０及び関連アクセスクラス１１〜１５が両方とも禁止されると、緊急呼は許可されない。そうでない場合は、緊急呼は許可される。
【００６６】
前記ＵＭＴＳにおいて、前記ＡＣはＡＳＣにマッピングされる。レベル０を最も高い優先順位とし、定義された８つの異なる優先順位レベル、特に、ＡＳＣ０〜ＡＳＣ７が存在する。
【００６７】
前記アクセスクラスは、ＲＲＣ接続要求（ＣＯＮＮＥＣＴＩＯＮ  ＲＥＱＵＥＳＴ）メッセージを送信するときなどの初期アクセスにのみ適用される。ＡＣとＡＳＣ間のマッピングは、システム情報ブロックタイプ５において情報要素「ＡＣ対ＡＳＣマッピング」により示される。ＡＣとＡＳＣ間の相応関係は、表ＶＩに示される。
【００６８】
【表６−１】
2010518724.tif 000009
【００６９】
【表６−２】
2010518724.tif 000010
表ＶＩにおいて、「ｎ番目のＩＥ」は、０〜７までの範囲でのＡＳＣナンバーｉをＡＣに指定する。「ｎ番目のＩＥ」により示されるＡＳＣが定義されていない場合、ＵＥ１の動作は特定されない。
【００７０】
ランダムアクセスの場合、それぞれのＡＳＣが意味するパラメータが利用される。複数のＡＣのメンバーであるＵＥ１は、最も高いＡＣナンバーに対するＡＳＣを選択する。ＡＣは、接続モードでは適用されない。
【００７１】
１つのＡＳＣは、現在のアクセス試行のために許可されるＲＡＣＨプリアンブルシグネチャ及びアクセススロットなどのサブセット、並びに送信を試みるための確率Ｐｖ≦１に該当する持続値（ｐｅｒｓｉｓｔｅｎｃｅ  ｖａｌｕｅ）から構成される。ランダムアクセス送信を制御するための他の重要なメカニズムである負荷制御メカニズム（ｌｏａｄ  ｃｏｎｔｒｏｌ  ｍｅｃｈａｎｉｓｍ）は、衝突確率が高いか、無線リソースが低い場合、着信トラフィック（ｉｎｃｏｍｉｎｇ  ｔｒａｆｆｉｃ）の負荷を減少できる。前記制御アクセス手順のフローチャートを図１１に示す。
【００７２】
既存の仕様は、ＵＴＲＡＮ２によりブロードキャストされるシステム情報に基づいてＵＥ１により保存及び更新される多くのＲＡＣＨ送信制御パラメータを提供する。これらのパラメータは、ＲＲＣから受信される（Ｓ１０）。前記ＲＡＣＨ送信制御パラメータは、ＰＲＡＣＨ、ＡＳＣ、プリアンブルランピングサイクルの最大数Ｍｍａｘ、並びにＡＩＣＨに否定応答が受信されたときに適用される、複数の１０ｍｓ送信時間間隔（ｔｒａｎｓｍｉｓｓｉｏｎ  ｔｉｍｅ  ｉｎｔｅｒｖａｌ）ＮＢＯ１ｍａｘ及びＮＢＯ１ｍｉｎで表すタイマーＴＢＯ１のバックオフ間隔範囲（ｒａｎｇｅ  ｏｆ  ｂａｃｋｏｆｆ  ｉｎｔｅｒｖａｌ）を含む。
【００７３】
伝送されるデータがあると判断された場合（Ｓ２０）、ＵＥ１は、割り当てられたＡＣをＡＳＣにマッピングする（Ｓ３０）。その後、カウント値Ｍが０に設定される（Ｓ４０）。
【００７４】
前記カウント値Ｍは、１ずつ増加する（Ｓ５０）。ＵＥ１は、ＲＡＣＨ送信試行の最大回数を示す前記カウント値ＭがＲＡＣＨ送信試行の最大許容回数Ｍｍａｘを超過するか否かを判断する（Ｓ６０）。
【００７５】
ＵＥ１は、ＭがＭｍａｘを超過した場合、送信が失敗したものとして扱う。その後、ＵＥ１は、送信失敗を上位層に通知する（Ｓ７０）。
【００７６】
しかし、ＵＥ１は、ＭがＭｍａｘより小さいか、又は同一である場合、ＲＡＣＨアクセス手順に進む。ＵＥ１は、ＲＡＣＨ送信制御パラメータを更新する（Ｓ８０）。１０ｍｓのタイマーＴ２が設定され（Ｓ９０）、ＵＥ１は、該ＵＥが選択したＡＳＣに関連する持続値Ｐｉに基づいて送信を試みるか否かを判断する。
【００７７】
特に、０と１間のランダム数Ｒｉを生成し（Ｓ１００）、前記ランダム数を前記持続値と比較する（Ｓ１１０）。ＵＥ１は、Ｒｉが持続値Ｐｉより小さいか又は同一である場合、送信を試みることなく、前記ＲＡＣＨ送信制御パラメータを更新して（Ｓ８０）前記ＲＡＣＨアクセス手順を繰り返す前に前記１０ｍｓのタイマーＴ２が満了するまで待機する（Ｓ１２０）。しかし、ＵＥ１は、Ｒｉが前記持続値Ｐｉより小さいか又は同一である場合、割り当てられたＲＡＣＨリソースを利用して送信を試みる（Ｓ１３０）。
【００７８】
ＵＥ１は、前記アクセス試行が送信された後、ネットワークからの応答がＡＣＫ（Ａｃｋｎｏｗｌｅｄｇｅｍｅｎｔ）であるか、ＮＡＣＫ（Ｎｏｎ−ａｃｋｎｏｗｌｅｄｇｅｍｅｎｔ）であるか、又は無応答であるかを判断する（Ｓ１５０）。ＡＣＫが受信されると、ＵＥ１は、メッセージ送信を開始する（Ｓ１６０）ことにより、ＵＴＲＡＮ２によるＵＥ送信の受信を通知する。ＵＥ１は、応答が受信されていないか、ＮＡＣＫが受信されると、前記メッセージを送信せずに、前記カウント値Ｍを増加させて（Ｓ５０）ＲＡＣＨアクセス手順を繰り返すことにより、ネットワークによる送信の受信が、例えば、衝突により失敗したことを通知する。
【００７９】
ＵＥ１は、応答が受信されていない場合、ＲＡＣＨアクセス手順を繰り返す前に１０ｍｓのタイマーＴ２が満了するまで待機する（Ｓ１７０）。しかし、ＮＡＣＫが受信された場合、ＵＥ１は、ＲＡＣＨアクセス手順を繰り返す前に、１０ｍｓのタイマーＴ２が満了するまで待機し（Ｓ１８０）、かつ前記ＵＥに割り当てられたＰＲＡＣＨに関連してＮＢＯ１ｍａｘとＮＢＯ１ｍｉｎ間にあるバックオフ値ＮＢＯ１をランダムに生成し、１０ｍｓに前記バックオフ値ＮＢＯ１をかけた値と同一である追加バックオフ間隔ＴＢＯ１を待機する（Ｓ１９０）。
【００８０】
物理層（Ｌ１）ランダムアクセス手順は、ＭＡＣサブレイヤ（Ｌ２）が要求すると開始される。前記物理層は、前記物理ランダムアクセス手順が開始する前に、上位層、特に、ＲＲＣから情報を受信し、前記物理ランダムアクセス手順を開始する度に上位層、特に、ＭＡＣから情報を受信する。前記情報を表ＶＩＩに示し、前記物理層ランダムアクセス手順を図１２に示す。
【００８１】
図１２に示すように、所定のＡＳＣのために利用できるランダムアクセスサブチャネルにおける１つのアクセススロットは、次のフルアクセススロットセット（ｆｕｌｌ  ａｃｃｅｓｓ  ｓｌｏｔ  ｓｅｔｓ）で利用できるアクセススロットからランダムに選択される（Ｓ２００）。１つのアクセススロットは、利用可能なアクセススロットがない場合、次のフルアクセススロットセットで利用できるアクセススロットからランダムに選択される。その後、１つのシグネチャは、前記所定ＡＳＣ内の利用可能なシグネチャのセットからランダムに選択される（Ｓ２１０）。
【００８２】
前記プリアンブル再送信カウンターは、プリアンブル再送信試行の最大数であるＰｒｅａｍｂｌｅ  Ｒｅｔｒａｎｓ  Ｍａｘに設定される（Ｓ２２０）。前記プリアンブル送信電力は、前記プリアンブルの初期送信電力であるＰｒｅａｍｂｌｅ  Ｉｎｉｔｉａｌ  Ｐｏｗｅｒに設定される（Ｓ２３０）。その後、前記プリアンブルは、前記選択されたアップリンクアクセススロット、シグネチャ、及び設定された送信電力に基づいて送信される（Ｓ２４０）。
【００８３】
ＵＥ１は、ＵＴＲＡＮ２が前記プリアンブルを検出したか否かを判断する（Ｓ２５０）。前記選択されたアップリンクアクセススロットに対応するダウンリンクアクセススロットにおいてＮＡＣＫが検出された場合、ランダムアクセスメッセージは送信されない。前記選択されたアップリンクアクセススロットに対応するダウンリンクアクセススロットにおいてＡＣＫが検出された場合、ランダムアクセスメッセージが送信される。応答がない場合、特に、前記選択されたアップリンクアクセススロットに対応するダウンリンクアクセススロットにおいて前記選択されたシグネチャに対するＡＣＫもＮＡＣＫも検出されていない場合、前記プリアンブルが再送信される。
【００８４】
【表７−１】
2010518724.tif 000011
【００８５】
【表７−２】
2010518724.tif 000012
応答が受信されない場合、次の利用可能なアクセススロットが所定ＡＳＣ内のランダムアクセスサブチャネルから選択され（Ｓ２６０）、新しいシグネチャが前記所定ＡＳＣ内の利用可能なシグネチャからランダムに選択され（Ｓ２７０）、前記プリアンブル送信電力は、電力ランピングのステップ幅（ｓｔｅｐ  ｗｉｄｔｈ）であるＰｏｗｅｒ  Ｒａｍｐ  Ｓｔｅｐの分だけ増加し（Ｓ２８０）、前記プリアンブル再送信カウンターは、１ずつ減少する（Ｓ２９０）。その後、ＵＥ１は、最大回数の再送信が試みられた否かを判断する（Ｓ３００）。このプリアンブル再送信手順は、プリアンブル再送信カウンターが０を超過し、応答が受信されない限り繰り返される。ＡＩＣＨでＡＣＫが受信されていないことが前記ＭＡＣに通知され（Ｓ３１０）、前記再送信カウンターが０に達すると、前記物理層ランダムアクセス手順を終了する。
【００８６】
ＡＣＫが受信されると、前記ランダムアクセスメッセージの制御チャネルの送信電力は、電力オフセットに応じて送信された最後のプリアンブルの送信電力より高いレベルに設定され（Ｓ３２０）、前記ランダムアクセスメッセージは、前記ＡＩＣＨ送信タイミングパラメータによって最後に送信されたプリアンブルのアップリンクアクセススロット後、３つ又は４つのアップリンクアクセススロットで送信される（Ｓ３３０）。前記ＡＣＫの受信及び前記ランダムアクセスメッセージの送信について前記上位層に通知され（Ｓ３４０）、前記物理層ランダムアクセス手順が完了する。
【００８７】
ＮＡＣＫが受信されると、ランダムアクセスメッセージは送信されず、前記プリアンブルの再送信は行われない。ＮＡＣＫが受信されたことが前記ＭＡＣに通知され（Ｓ３５０）、前記物理層ランダムアクセス手順が完了する。
【００８８】
図１３は、ＵＥ１とＵＴＲＡＮ２間のシグナリング設定手順を示す。図１３に示すように、ＰＲＡＣＨ電力制御プリアンブルが確認されると、ＲＲＣ接続要求メッセージが送信される（Ｓ４００）。前記ＲＲＣ接続要求メッセージは、接続の要求理由を含む。
【００８９】
ＵＴＲＡＮ２は、前記要求理由に応じて、予約（ｒｅｓｅｒｖｅ）するリソースを決定し、ＮｏｄｅＢ５やサービングＲＮＣ４などの無線ネットワークノード間で同期化及びシグナリング設定を行う（Ｓ４１０）。その後、ＵＴＲＡＮ２は、ＵＥ１に接続セットアップメッセージ（Ｃｏｎｎｅｃｔｉｏｎ  Ｓｅｔｕｐ  Ｍｅｓｓａｇｅ）を送信して利用する無線リソースに関する情報を伝達する（Ｓ４２０）。
【００９０】
ＵＥ１は、ＵＴＲＡＮ２に接続セットアップ完了メッセージ（Ｃｏｎｎｅｃｔｉｏｎ  Ｓｅｔｕｐ  Ｃｏｍｐｌｅｔｅ  Ｍｅｓｓａｇｅ）を送信して接続設定を確認する（Ｓ４３０）。ＵＥ１は、前記接続が設定されると、ＵＴＲＡＮ２に初期直接送信メッセージ（Ｉｎｉｔｉａｌ  Ｄｉｒｅｃｔ  Ｔｒａｎｓｆｅｒ  Ｍｅｓｓａｇｅ）を送信する（Ｓ４４０）。前記初期直接送信メッセージは、ＵＥ識別子、ＵＥの現在位置、及び要求されたトランザクションの種類などの情報を含む。
【００９１】
その後、ＵＥ１とＵＴＲＡＮ２間で認証が行われ、セキュリティモード通信（ｓｅｃｕｒｉｔｙ  ｍｏｄｅ  ｃｏｍｍｕｎｉｃａｔｉｏｎ）が設定される（Ｓ４５０）。実際のセットアップ情報は、呼制御セットアップメッセージ（Ｃａｌｌ  Ｃｏｎｔｒｏｌ  Ｓｅｔｕｐ  ｍｅｓｓａｇｅ）によりＵＥ１からＵＴＲＡＮ２に伝達される（Ｓ４６０）。前記呼制御セットアップメッセージは、前記トランザクションを識別し、ＱｏＳ要求事項を示す。
【００９２】
ＵＴＲＡＮ２は、要求されたＱｏＳを満たすために利用できるリソースが十分であるか否かを確認することにより、無線ベアラ割り当てのための活動を開始し、呼制御完了メッセージ（Ｃａｌｌ  Ｃｏｎｔｒｏｌ  Ｃｏｍｐｌｅｔｅ  Ｍｅｓｓａｇｅ）をＵＥ１に送信する（Ｓ４７０）。前記無線ベアラは、利用できるリソースが十分である場合、前記要求に応じて割り当てられる。ＵＴＲＡＮ２は、現在十分なリソースを利用できない場合、より低いＱｏＳ値で割り当てを継続することを選択するか、又は、十分な無線リソースが利用可能になるまで前記要求を待機（ｑｕｅｕｅ）することもしくは前記呼要求を拒否することを選択する
ＵＭＴＳのＬＴＥ（Ｌｏｎｇ−ｔｅｒｍ  ｅｖｏｌｕｔｉｏｎ）は、ＵＭＴＳを標準化した３ＧＰＰにより論議中である。３ＧＰＰ  ＬＴＥは、高速パケット通信を可能にする技術である。ユーザ及びプロバイダのコストを減少させ、サービス品質を向上させ、サービス地域（ｃｏｖｅｒａｇｅ）及びシステム容量を拡張及び改善させるというＬＴＥの目的のために多くの方式が提案されてきた。
【００９３】
前記３Ｇ  ＬＴＥは、１ビット当たりの低減されたコスト、増加したサービス利用可能性、周波数帯域の柔軟な利用、単純な構造、オープンインタフェース、及び上位レベルの要求事項（ｕｐｐｅｒ−ｌｅｖｅｌ  ｒｅｑｕｉｒｅｍｅｎｔ）としての端末の適当な電力消費を必要とする。一般に、ＵＴＲＡＮ２は、Ｅ−ＵＴＲＡＮ（Ｅｖｏｌｖｅｄ−ＵＴＲＡＮ）に該当する。ＮｏｄｅＢ５及び／又はＲＮＣ４は、ＬＴＥシステムのｅ−ＮｏｄｅＢに該当する。以下、ＲＡＣＨのための現在のＬＴＥ研究の前提について概括的に説明する。
【００９４】
前記ランダムアクセス手順は、２つのカテゴリー、すなわち、非同期式ランダムアクセス（ｎｏｎ−ｓｙｎｃｈｒｏｎｉｚｅｄ  ｒａｎｄｏｍ  ａｃｃｅｓｓ）と同期式ランダムアクセス（ｓｙｎｃｈｒｏｎｉｚｅｄ  ｒａｎｄｏｍ  ａｃｃｅｓｓ）とに分けられる。以下、非同期式ランダムアクセスのみを考慮する。
【００９５】
非同期式アクセスは、ＵＥ１からのアップリンクが時間同期化しないとき、又は、ＵＥアップリンクが同期化を失ったときに利用される。非同期式アクセスは、必要であればＵＴＲＡＮ２がＵＥ１送信タイミングを推定及び調節できるようにする。従って、非同期式ランダムアクセスプリアンブルは、少なくとも時間調整及びシグネチャ検出のために利用される。
【００９６】
図１４は、ランダムアクセスバーストを示す。メッセージペイロードは、ランダムＩＤ、パスロス（Ｐａｔｈｌｏｓｓ）／ＣＱＩ（Ｃｈａｎｎｅｌ  Ｑｕａｌｉｔｙ  Ｉｎｄｉｃａｔｏｒ）、又はアクセス目的などの追加的な関連シグナリング情報を含むことができる。６ビットまでのメッセージペイロードは、図１４に示すように、プリアンブルとともに前記ランダムアクセスバーストで送信される。
【００９７】
ＵＥ１は、同時にアクセスを試みる複数のＵＥ間を区別するために、シグネチャグループからシグネチャをランダムに選択する。前記プリアンブルは、ＵＴＲＡＮ２が正確なタイミング推定を取得できるように良好な自己相関特性（ｇｏｏｄ  ａｕｔｏ−ｃｏｒｒｅｌａｔｉｏｎ  ｐｒｏｐｅｒｔｉｅｓ）を持たなければならない。
【００９８】
さらに、多様なプリアンブルは、多様なＵＥ１が異なるシグネチャを利用して同時に試みるアクセスをＵＴＲＡＮ２が区別できるように、良好な交差相関特性（ｃｒｏｓｓ−ｃｏｒｒｅｌａｔｉｏｎ  ｐｒｏｐｅｒｔｉｅｓ）を持たなければならない。ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスは、良好な検出確率を取得するためのプリアンブルシグネチャシーケンスとして利用される。
【００９９】
第１層は、前記非同期式物理ランダムアクセス手順を開始する前に上位層から表ＶＩＩＩに列挙した情報を受信すべきである。前記情報は、上位層からシステム情報の一部として送信される。
【０１００】
【表８】
2010518724.tif 000013
図１５は、非同期式物理ランダムアクセス手順のための呼フローチャートを示す。図１５に示すように、前記物理層（Ｌ１）ランダムアクセス手順は、ランダムアクセスプリアンブル（メッセージ１）及びランダムアクセス応答（メッセージ２）の送信の成功を含む。残りのメッセージは、前記共有データチャネルで上位層が送信するようにスケジューリングされるので、Ｌ１ランダムアクセス手順の一部とみなされることはない。ランダムアクセスチャネルは、サブフレームの１．０８ＭＨｚ部分又はランダムアクセスプリアンブル送信のために予約された連続したサブフレームのセットである。
【０１０１】
ランダムアクセスチャネルが利用可能な非同期式ランダムアクセスチャネルからランダムに選択された後、プリアンブルシーケンスは、送信されるメッセージに基づいて前記利用可能なプリアンブルセットからランダムに選択される。前記ランダムアクセス手順は、それぞれの許可された選択が同じ確率で選択されることを保障する。
【０１０２】
前記ＭＡＣにより設定される初期プリアンブル送信電力レベルは、オープンループ電力制御手順を利用して決定される。送信カウンターは、プリアンブル再送信の最大回数に設定される。
【０１０３】
その後、ランダムアクセスプリアンブル（メッセージ１）が前記選択されたランダムアクセスチャネル、プリアンブルシーケンス、及びプリアンブル送信電力を利用して送信される。「非同期式ランダムアクセスに対してＡＣＫが受信された」というＬ１の状態がＭＡＣのような上位層に報告された後、前記送信されたプリアンブルシーケンス（メッセージ１）に対応するランダムアクセス応答（メッセージ２）が検出されると、前記物理ランダムアクセス手順が終了する。前記送信されたプリアンブルシーケンス（メッセージ１）に対応するランダムアクセス応答（メッセージ２）が検出されない場合、他のランダムアクセスチャネル及びプリアンブルがランダムに選択される。
【０１０４】
最大送信電力及び前記再送信の最大回数に達しない限りプリアンブル再送信が発生する。「非同期式ランダムアクセスに対して無応答」というＬ１の状態がＭＡＣのような上位層に報告された後、前記最大送信電力又は前記再送信の最大回数に達すると、物理ランダムアクセス手順が終了する。
【０１０５】
前記ＬＴＥのランダムアクセス手順の主な目的は、アップリンク時間同期化及びネットワークへのアクセスを取得することにある。ランダムアクセスメカニズムについては、タイミング非調整（ｔｉｍｉｎｇ  ｎｏｎａｌｉｇｎｍｅｎｔ）を決定するためにプリアンブルがＵＥ１からＮｏｄｅＢ５に送信されると説明することができる。前記プリアンブル構造は、ＺＣ−ＺＣＺ（Ｚａｄｏｆｆ−Ｃｈｕ  ｓｅｑｕｅｎｃｅｓ  ｗｉｔｈ  Ｚｅｒｏ  Ｃｏｒｒｅｌａｔｉｏｎ  Ｚｏｎｅ）、及び前記要求される数の領域（ｚｏｎｅｓ）が生成できない場合の異なるルートシーケンスインデックスに基づく。
【０１０６】
ＺＣ−ＺＣＺのためのゼロ相関領域（ｚｅｒｏ−ｃｏｒｒｅｌａｔｉｏｎ  ｚｏｎｅ）は、ＺＣ（Ｚａｄｏｆｆ−Ｃｈｕ）キャリアシーケンス（ｃａｒｒｉｅｒ  ｓｅｑｕｅｎｃｅ）の循環シフトバージョン（ｃｙｃｌｉｃ  ｓｈｉｆｔ  ｖｅｒｓｉｏｎ）を利用して生成される。同じルートシーケンス内の循環シフトは、交差相関が０であるため、ＬＴＥ  ＲＡＣＨプリアンブルのための理想的なシグネチャのセットを形成する。
【０１０７】
しかし、これは、周波数エラーが小さく、ＵＥ１の移動性が低い場合にのみ成立する。高速移動性を有するＵＥ１の場合、周波数エラーが増加するにつれてＺＣ−ＺＣＺシーケンスの優れた特性がなくなることにより、シフトされたシーケンス間のオーバーラッピングをもたらし、シーケンス検出を悪くするか、場合によっては不可能にする。従って、前記循環シフトは、高速移動性のＵＥ１がセル内でサポートされるときに次のシフトされた位置とのオーバーラップを避けるために考案される。その結果、循環シフトの限られたセットのみ利用できるようになる。
【０１０８】
言い換えると、プリアンブル循環シフト長設計は、高速移動性のＵＥ１をサポートするセル毎に異なる。実際に、循環シフトは、セルサイズによって異なるだけでなく、高いドップラーがある場合、シーケンスインデックスに比例する。
【０１０９】
従って、前記ＬＴＥ  ＲＡＣＨプリアンブルシーケンス設計は、低い移動性のＵＥ１及び高い移動性のＵＥ１に対して異なる。また、従来の手順は、ＲＡＣＨプリアンブルに対してＺＣ−ＺＣＺシーケンスを利用しない。
【０１１０】
例えば、ＷＣＤＭＡ  ＲＡＣＨプリアンブルは、４０９６個のチップから構成され、長さ１６のアダマールコード及びスクランブルコードを２５６回繰り返したシーケンスである。これは、簡単かつ正確な周波数エラー推定を容易にし、同じシーケンス設計が低速及び高速ＵＥ１の両方のために利用される。
【０１１１】
本発明の一態様において、移動端末とネットワーク間の通信リンク設定方法が提供される。前記方法は、通信セルが高速移動性をサポートしているか否かの指示を受信する段階と、ランダムアクセスのために利用可能なシグネチャに対応するシーケンスを生成する段階と、前記生成されたシーケンスのうち選択された１つを用いてネットワークへのアクセスを要求する段階とを含み、ここで、高速移動性をサポートしているか否かに応じて前記シーケンスが生成されるか、あるいは高速移動性をサポートしているか否かに応じて前記生成されたシーケンスが選択される。
【０１１２】
前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含む。また、それぞれの利用可能なランダムアクセスシグネチャは、高速移動性がサポートされていない場合、全ての可能な循環シフトされたＺＣシーケンスを利用して循環シフトされたＺＣシーケンスにマッピングされる。好ましくは、それぞれの利用可能なランダムアクセスシグネチャは、全ての可能なシーケンスのうちの限られたセットを利用して循環シフトされたＺＣシーケンスにマッピングされ、前記限られたセットは、シーケンスインデックスにより決定される。
【０１１３】
本発明の他の態様において、移動端末とネットワーク間の通信リンク設定方法が提供される。前記方法は、高速移動性をサポートしているプロセス、又は高速移動性をサポートしていないプロセスに従って、ランダムアクセスのために利用可能なシグネチャに対応するシーケンスを生成する段階と、セルが高速移動性をサポートしているか否かの指示を送信する段階と、前記生成されたシーケンスのうち選択された１つを用いたアクセス要求を移動端末から受信する段階と、前記移動端末が前記生成されたシーケンスのいずれを利用したかを判断するために、前記受信された要求を前記生成されたシーケンスのそれぞれに関連付ける段階とを含む。
【０１１４】
前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含む。それぞれの利用可能なランダムアクセスシグネチャは、高速移動性がサポートされていない場合、全ての可能な循環シフトされたＺＣシーケンスを利用して循環シフトされたＺＣシーケンスにマッピングされる。好ましくは、それぞれの利用可能なランダムアクセスシグネチャは、全ての可能なシーケンスのうちの限られたセットを利用して循環シフトされたＺＣシーケンスにマッピングされ、前記限られたセットは、シーケンスインデックスにより決定される。
【０１１５】
本発明のさらに他の態様において、移動端末とネットワーク間の通信リンク設定方法が提供される。前記方法は、セルが高速移動性をサポートしているか否かの指示を受信する段階と、前記指示を利用してネットワークへのアクセスを要求する段階とを含み、ここで、前記指示は、循環シフトの限られた利用に関する情報を示す。
【０１１６】
前記指示は、１ビットで構成される。また、前記ネットワークへのアクセスを要求する段階は、ランダムアクセスのために利用可能なシグネチャに対応するシーケンスを生成する段階と、前記生成されたシーケンスのうち選択された１つを用いてネットワークへのアクセスを要求する段階とを含み、ここで、高速移動性がサポートされているか否かに応じて前記シーケンスが生成されるか、前記生成されたシーケンスが選択される。好ましくは、前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含み、それぞれの利用可能なランダムアクセスシグネチャは、全ての可能なシーケンスのうちの限られたセットを利用して循環シフトされたＺＣシーケンスにマッピングされ、前記限られたセットは、前記指示により決定される。
【０１１７】
本発明のさらに他の態様において、移動端末とネットワーク間の通信リンク設定方法が提供される。前記方法は、セルが高速移動性をサポートしているか否かの指示を送信する段階と、移動端末からネットワークへのアクセス要求を受信する段階とを含み、ここで、前記指示は、循環シフトの限られた利用に関する情報を示し、前記要求は、前記指示に基づく。
【０１１８】
前記指示は、１ビットで構成される。また、前記方法は、高速移動性をサポートしているプロセス、又は高速移動性をサポートしていないプロセスに従って、ランダムアクセスのために利用可能なシグネチャに対応するシーケンスを生成する段階と、前記移動端末が前記生成されたシーケンスから選択された１つを用いたアクセス要求を前記移動端末から受信する段階と、前記移動端末が前記生成されたシーケンスのいずれを利用したかを判断するために、前記受信された要求を前記生成されたシーケンスのそれぞれに関連付ける段階とをさらに含む。好ましくは、前記生成されたシーケンスが循環シフトされたＺＣ（Ｚａｄｏｆｆ−Ｃｈｕ）シーケンスであり、許容可能なシグネチャを前記循環シフトされたＺＣシーケンスにマッピングする段階をさらに含み、それぞれの利用可能なランダムアクセスシグネチャは、全ての可能なシーケンスのうちの限られたセットを利用して循環シフトされたＺＣシーケンスにマッピングされ、前記限られたセットは、前記指示により決定される。
【０１１９】
本発明のさらに他の態様において、ネットワークとの通信リンク設定のための移動端末が提供される。前記移動端末は、移動端末とネットワーク間でメッセージを送受信する送受信部と、ユーザインタフェース情報を表示するディスプレイ部と、ユーザからの入力を受信する入力部と、通信セルが高速移動性をサポートしているか否かに関して受信された指示を処理し、ランダムアクセスのために利用可能なシグネチャに対応するシーケンスを生成し、前記生成されたシーケンスから選択された１つを用いて前記ネットワークへのアクセスを要求するように前記送受信部を制御する処理部とを含み、前記処理部は、高速移動性をサポートしているか否かに応じて前記シーケンスを生成するか、あるいは高速移動性をサポートしているか否かに応じて前記生成されたシーケンスを選択する。
【０１２０】
前記生成されたシーケンスは、循環シフトされたＺＣ（Ｚａｄｏｆｆ−Ｃｈｕ）シーケンスであり、前記処理部は、許容可能なシグネチャを循環シフトされたＺＣシーケンスにマッピングする。前記処理部は、高速移動性がサポートされていない場合、全ての可能な循環シフトされたＺＣシーケンスを利用してそれぞれの利用可能なランダムアクセスシグネチャを循環シフトされたＺＣシーケンスにマッピングする。好ましくは、前記処理部は、全ての可能なシーケンスのうちの限られたセットを利用してそれぞれの利用可能なランダムアクセスシグネチャを循環シフトされたＺＣシーケンスにマッピングし、前記限られたセットは、シーケンスインデックスにより決定される。
【０１２１】
本発明のさらに他の態様において、ネットワークとの通信リンク設定のための移動端末が提供される。前記移動端末は、移動端末とネットワーク間でメッセージを送受信する送受信部と、ユーザインタフェース情報を表示するディスプレイ部と、ユーザからの入力を受信する入力部と、セルが高速移動性をサポートしているか否かに関して受信された指示を処理し、前記指示を利用して前記ネットワークへのアクセスを要求するように前記送受信部を制御する処理部とを含み、ここで、前記指示は、循環シフトの限られた利用に関する情報を示す。
【０１２２】
前記指示は、１ビットで構成される。前記処理部は、ランダムアクセスのために利用可能なシグネチャに対応するシーケンスを生成し、前記生成されたシーケンスから選択された１つを用いて前記ネットワークへのアクセスを要求するように前記送受信部を制御し、ここで、前記処理部は、高速移動性をサポートしているか否かに応じて前記シーケンスを生成するか、前記生成されたシーケンスを選択する。好ましくは、前記生成されたシーケンスは、循環シフトされたＺＣ（Ｚａｄｏｆｆ−Ｃｈｕ）シーケンスであり、前記処理部は、許容可能なシグネチャを前記循環シフトされたＺＣシーケンスにマッピングし、それぞれの利用可能なランダムアクセスシグネチャは、全ての可能なシーケンスのうちの限られたセットを利用して循環シフトされたＺＣシーケンスにマッピングされ、前記限られたセットは、前記指示により決定される。
【０１２３】
本発明のさらに他の態様において、移動端末との通信リンク設定のためのネットワークが提供される。前記ネットワークは、移動端末にメッセージを送信する送信部と、前記移動端末からメッセージを受信する受信部と、ランダムアクセスのために利用可能なシグネチャに対応するシーケンスを生成し、高速移動性がサポートされているか否かに関する指示を送信するように前記送信部を制御し、前記生成されたシーケンスから選択された１つを利用する前記移動端末から受信されたアクセス要求を処理し、前記移動端末が前記生成されたシーケンスのいずれを利用したかを判断するために前記受信された要求を前記生成されたシーケンスのそれぞれに関連付ける制御部とを含み、ここで、前記制御部は、高速移動性をサポートしているプロセス、又は高速移動性をサポートしていないプロセスに従って前記シーケンスを生成する。
【０１２４】
前記生成されたシーケンスは、循環シフトされたＺＣ（Ｚａｄｏｆｆ−Ｃｈｕ）シーケンスであり、前記制御部は、許容可能なシグネチャを前記循環シフトされたＺＣシーケンスにマッピングする。前記制御部は、高速移動性がサポートされていない場合、全ての可能な循環シフトされたＺＣシーケンスを利用してそれぞれの利用可能なランダムアクセスシグネチャを循環シフトされたＺＣシーケンスにマッピングする。好ましくは、前記制御部は、全ての可能なシーケンスのうちの限られたセットを利用してそれぞれの利用可能なランダムアクセスシグネチャを循環シフトされたＺＣシーケンスにマッピングし、前記限られたセットは、シーケンスインデックスにより決定される。
【０１２５】
本発明のさらに他の態様において、移動端末との通信リンク設定のためのネットワークが提供される。前記ネットワークは、移動端末にメッセージを送信する送信部と、前記移動端末からメッセージを受信する受信部と、セルが高速移動性をサポートしているか否かに関する指示を送信するように前記送信部を制御し、前記移動端末から受信されたネットワークへのアクセス要求を処理する制御部とを含み、ここで、前記指示は、循環シフトの限られた利用に関する情報を示し、前記アクセス要求は、前記指示に基づく。
【０１２６】
前記指示は、１ビットで構成される。また、前記制御部は、高速移動性をサポートしているプロセス、又は高速移動性をサポートしていないプロセスに従ってランダムアクセスのために利用可能なシグネチャに対応するシーケンスを生成し、前記移動端末が前記アクセス要求を送信するとき、前記生成されたシーケンスのいずれを利用したかを判断するために前記受信されたアクセス要求を前記生成されたシーケンスのそれぞれに関連付ける動作をさらに行う。好ましくは、前記生成されたシーケンスは、循環シフトされたＺＣ（Ｚａｄｏｆｆ−Ｃｈｕ）シーケンスであり、前記制御部は、許容可能なシグネチャを前記循環シフトされたＺＣシーケンスにマッピングし、それぞれの利用可能なランダムアクセスシグネチャは、全ての可能なシーケンスのうちの限られたセットを利用して循環シフトされたＺＣシーケンスにマッピングされ、前記限られたセットは、前記指示により決定される。
【０１２７】
本発明のさらなる長所及び利点は後述する発明の詳細な説明に記述されるが、一部はその記述内容から明確になるか、又は、本発明を実施することにより理解されるであろう。上記の本発明の一般的な記載及び後述する詳細な記載は例示的なものであり、請求の範囲に記載の本発明を具体的に説明するためのものである。
【０１２８】
このような実施形態及び他の例示的な実施形態は、添付図面を有する実施形態の下記の詳細な説明により当業者に明らかになるであろうが、本発明は、説明される特定実施形態のいずれにも限定されるものではない。
【図面の簡単な説明】
【０１２９】
発明の理解を容易にするために添付され、本明細書の一部を構成する図面は、本発明の多様な実施形態を示し、明細書と共に本発明の原理を説明する。図面において同一符号を付す本発明の特徴、構成要素、及び態様は、１つ以上の実施形態において同一、同等、又は類似した特徴、構成要素、及び態様を示す。
【図１】ＵＭＴＳネットワークの概要図である。
【図２】３ＧＰＰ無線接続ネットワーク標準に準拠したＵＥとＵＴＲＡＮ間の無線インタフェースプロトコルの構造を示す図である。
【図３】既存の多様な論理チャネルを示す図である。
【図４】ＵＥの観点からトランスポートチャネルにマッピングされた論理チャネルを示す図である。
【図５】ＵＴＲＡＮの観点からトランスポートチャネルにマッピングされた論理チャネルを示す図である。
【図６】電力ランピング手順を示す図である。
【図７】アクセススロットの数及びこれらの間隔を示す図である。
【図８】プリアンブル、ＡＩ、及びメッセージ部分のタイミングを示す図である。
【図９】ランダムアクセスメッセージ部分の構造を示す図である。
【図１０】ＡＩＣＨの構造を示す図である。
【図１１】前記制御アクセス手順を示す図である。
【図１２】物理層ランダムアクセス手順を示す図である
【図１３】ＵＥとネットワーク間のシグナリング設定手順を示す図である。
【図１４】ランダムアクセスバーストを示す図である。
【図１５】非同期式物理ランダムアクセス手順のための呼フローチャートである。
【図１６】高ドップラー環境（ｈｉｇｈ  Ｄｏｐｐｌｅｒ  ｅｎｖｉｒｏｎｍｅｎｔ）においてインデックスＭ及び（Ｍ＋１）の可能なチャネル応答の一例を示す図である。
【図１７】本発明による、高速移動性がサポートされる場合のシーケンスインデックスＭと多様な循環シフトアプローチ間の関係を示す図である。
【図１８】高ドップラー環境におけるチャネル応答を示す図である。
【図１９】本発明による移動局（ＭＳ）又はアクセス端末（ＡＴ）のブロック図である。
【発明を実施するための形態】
【０１３０】
本発明は、前記配置されたセルが高速移動性のＵＥ１をサポートする場合、ＵＥ１がシグネチャインデックスを前記循環シフトされたＺＣシーケンスに正確にマッピングできるようにするものである。本発明は、セルが高速移動性をサポートしているか否かをＵＥ１に通知して前記ＲＡＣＨシグネチャが前記循環シフトされたＺＣシーケンスに正確にマッピングできるようにする方法を提案する。この情報は、セルでシステム情報によりブロードキャストされるか、標準に定められている。以下、添付図面を参照して本発明の好ましい実施形態を説明する。
【０１３１】
奇数の長さＮのＺＣシーケンスは、次の式により定義される。
ａｕ（ｋ）＝ｅｘｐ［−ｊ２пＭ（ｋ（ｋ＋１）／２Ｎ）］
ここで、Ｎはシーケンス長であり、
Ｍ＝１…Ｎ−１は、異なるシーケンスのルートインデックスであり、
ｋ＝０…Ｎ−１は、シーケンスサンプルのインデックスである。
ＺＣシーケンスは、周波数エラーがない場合に理想的相関特性を有するので、周期的な自己相関（ｐｅｒｉｏｄｉｃ  ａｕｔｏｃｏｒｒｅｌａｔｉｏｎ）がサイドピーク（ｓｉｄｅ−ｐｅａｋ）を示さず、シーケンスＮのサンプルのインデックスが素数であるときは異なるルートインデックスＭを有する２つのシーケンス間の交差相関（ｃｒｏｓｓ−ｃｏｒｒｅｌａｔｉｏｎ）が定数値を有するようになる。従って、シーケンスの循環シフトによりＲＡＣＨプリアンブルのためのシグネチャの理想的なセットが形成されるが、これは、その循環シフトの交差相関が０であり、これらが全て周波数ドメイン処理を利用して同時に検出できるためである。
【０１３２】
単一ルートインデックスＭのために利用できる循環シフトの数は、シーケンスの長さ及び伝播遅延不確実性（ｐｒｏｐａｇａｔｉｏｎ  ｄｅｌａｙ  ｕｎｃｅｒｔａｉｎｔｙ）によって変わる。このようなシフトは、所定セルサイズの最大伝播遅延より大きくなければならない。
【０１３３】
しかし、これは、低速移動性ＵＥ１のように周波数エラーが小さい場合にのみ成立する。ＺＣシーケンスは、周波数エラーに非常に敏感である。前記周波数エラーは、２つのＺＣシーケンス間の交差相関関係には深刻な影響を与えないが、互いに区分されないオーバーラップしたチャネル応答により連続するシーケンス検出に影響を及ぼす。この例を図１６に示す。Ｍである場合はｔであり、Ｍ＋１である場合は２ｔであるように、図１６の遅延プロファイルの正確なタイミングと高速移動性のＵＥ１における大きな周波数オフセット（ｌａｒｇｅ  ｆｒｅｑｕｅｎｃｙ  ｏｆｆｓｅｔ）により起こるｔ−Ｍ及びｔ＋Ｍのような遅延プロファイルのエイリアス間の持続期間はシーケンスインデックスＭに比例する。
【０１３４】
高ドップラー環境における循環シフトが限定されて各シーケンス周期不確実性の循環シフト対がいずれのＲＡＣＨプリアンブルのシーケンス周期不確実性内にも存在せず、各シーケンス周期不確実性のｔ−１の循環シフトが全てのシーケンス周期不確実性のｔ＋１の循環シフトと異なる場合、性能が向上する。これにより、高速移動性のＵＥ１をサポートするセルに対して循環シフトの限られたセットを利用できる。
【０１３５】
前記循環シフトは、高速移動性のＵＥ１における周波数オフセットがシーケンスインデックスＭに比例するので、エイリアスチャネル応答が他の循環シフト位置とオーバーラップしないように設計することができる。このような設計の規則及び方法は、当該分野における周知のものである。
【０１３６】
前記循環シフト設計は、セルが高速移動性のＵＥ１をサポートしているか否かによって異なる。基本ランダムアクセス手順は、ＵＥ１がランダムアクセスプリアンブル（メッセージ１）を送信して前記シグネチャアクセスをＮｏｄｅＢ５に伝達するものである。しかし、前記アクセスシグネチャは、ＬＴＥ構造内で非同期式ランダムアクセスに対する適用範囲要求事項を満たすためにのみ送信される。
【０１３７】
ＬＴＥシグネチャの波形は、要求される数の領域が形成できない場合、ＺＣＺ（ｚｅｒｏ−ｃｏｒｒｅｌａｔｉｏｎ  ｚｏｎｅｓ）を有するＺＣ及び他の親シーケンスインデックス（ｍｏｔｈｅｒ  ｓｅｑｕｅｎｃｅ  ｉｎｄｅｘ）に基づく。これは、ＺＣＺシーケンスの数がセル半径に反比例して減少するためである。従って、ＺＣＺシーケンスの数が十分でない場合、他のインデックスからのさらなるＣＺシーケンスが追加される。
【０１３８】
前記ＺＣＺは、妨害するプリアンブルが存在する場合、理想的な検出を可能にする。ＣＡＺＡＣシーケンスの最適な自己相関特性は、高速移動性のＵＥ１のドップラー拡散が周波数オフセットをもたらすときに失われて検出性能を低下させる。ドップラーシフト及びアップリンクでの周波数エラーは、チャネル条件、例えばＬＯＳ（ｌｉｎｅ−ｏｆ−ｓｉｔｅ）条件又はＮＬＯＳ（ｎｏｎ−ｌｉｎｅ−ｏｆ−ｓｉｔｅ）条件によって変わる特性を有する。
【０１３９】
ＵＥ１の移動性による周波数オフセットは、ＮＬＯＳ条件でキャリア周波数から範囲を越えて拡散される。従って、ＵＥ１はΔｆＢＳ＋ΔｆＵＥの周波数オフセット周辺をトラッキングする。前記受信されたアップリンク信号の周波数オフセットは、ほぼ０に近く、一方向ドップラー拡散が考えられる。
【０１４０】
高速移動性の自動車がＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）２に向けて移動するか、前記Ｅ−ＵＴＲＡＮ２から離れるときのＬＯＳ条件での受信側信号の最大周波数オフセットは次の通りである。
ｆｏｆｆｓｅｔ，  ＵＬ＝ΔｆＵＥ＋２ｆＤｏｐｐｌｅｒ＿ｍａｘ
ここで、ｆＢＳは、基地局の周波数ドリフト（ｆｒｅｑｕｅｎｃｙ  ｄｒｉｆｔ）を示し、
ΔｆＵＥは、ＵＥ１の周波数エラーを示し、
ｆＤｏｐｐｌｅｒ＿ｍａｘは、最大ドップラー周波数を示す。
【０１４１】
最悪の場合の周波数オフセットは、２ＧＨｚのキャリア周波数において３５０Ｋｍ／ｈの移動性で１４００Ｈｚの周辺にある。ＵＥ１は、ＬＯＳ環境においてダウンリンクで６５０Ｈｚのドップラーシフトの周辺をトラッキングした後、ダウンリンクで推定された周波数オフセットを基準にアップリンクデータ補正周波数オフセット（ｕｐｌｉｎｋ  ｄａｔａ  ｃｏｍｐｅｎｓａｔｅｄ  ｆｒｅｑｕｅｎｃｙ  ｏｆｆｓｅｔ）を予め送信する。従って、ＵＥ１の移動性による周波数オフセットは、ＮｏｄｅＢ２におけるチャネルのドップラーシフトの２倍、例えば、１３００Ｈｚとなる。
【０１４２】
図１７に示すように、ドップラー拡散又は残りの周波数オフセットにより受信機に周波数オフセットがある場合、検出段階で２つ又は３つの優勢な要素（ｄｏｍｉｎａｎｔ  ｃｏｍｐｏｎｅｎｔ）が存在する。従って、周波数オフセットは、利用されるシーケンスインデックスＭによってチャネル応答を広範囲に拡散させる。
【０１４３】
ＺＣシーケンスインデックスが知られている場合、周波数オフセットが存在していると、チャネル応答が発生すると予測できる。循環シフトは、エイリアスチャネル応答が他の循環シフト位置とオーバーラップしないように設計されなければならない。従って、循環シフトは、セルサイズによって変わるだけでなく、シーケンスインデックスＭに比例する。よって、低ドップラーの場合と比較して循環シフトセットを制限できるだけでなく、異なるＲＡＣＨシグネチャマッピングを可能にする。
【０１４４】
セルが高速移動性をサポートする場合、循環シフトを設計する方法及びアプローチ方式は、当該分野において周知である。例えば、３つの異なるアプローチ方式に対する規則が提案されている。
【０１４５】
第１アプローチ方式は、「追加マージン方法（ａｄｄｉｔｉｏｎａｌ  ｍａｒｇｉｎ  ｍｅｔｈｏｄ）」であり、条件は次の通りである。
【０１４６】
【数１】
2010518724.tif 000014
第２アプローチ方式は、「１回の機会に複数の循環シフト方法（ｍｕｌｔｉｐｌｅ  ｃｉｒｃｕｌａｒ  ｓｈｉｆｔｓ  ａｓ  ｏｎｅ  ｏｐｐｏｒｔｕｎｉｔｙ  ｍｅｔｈｏｄ）」であり、条件は次の通りである。
【０１４７】
【数２】
2010518724.tif 000015
第３アプローチ方式は、「インデックス選択方法（ｉｎｄｅｘ  ｓｅｌｅｃｔｉｏｎ  ｍｅｔｈｏｄ）」であり、条件は次の通りである。
【０１４８】
【数３】
2010518724.tif 000016
この３つのアプローチ方式において、Ｎはシーケンス長又はＺＣシーケンス長であり、Ｍは、１つのシーケンスインデックス又はＺＣルートインデックスであり、Ｔ０は、セルサイズに基づいた所定セルに対する最小循環シフトである。Ｎのような必要情報は、標準で定められ、Ｔ０及びＭなどの他の情報は、システム情報によりブロードキャストされなければならない。
【０１４９】
本発明は、ネットワークが１情報ビットをブロードキャストして高速移動性のＵＥをサポートしているか否かをＵＥ１に通知する方式を提案する。このような情報ビットは、ＲＡＣＨシグネチャが循環シフトされたＺＣシーケンスに正確にマッピングできるようにする。ＵＥ１は、ＲＡＣＨ情報に関するブロードキャストメッセージを受信すると、セル内における高速移動性サポート、循環シフトの限られたセットの利用を示す情報ビットを読み取る。
【０１５０】
ＵＥ１は、Ｅ−ＵＴＲＡＮ２がブロードキャストした情報からＴ０及びＭに関する情報を取得しておくべきである。ＵＥ１は、前述したような値が標準に定められていない場合、前記ブロードキャストされた情報からＮに関する情報及びＲＡＣＨシグネチャの最大数に関する情報も取得しておかなければならない。その後、ＵＥ１は、前記情報ビットが高速移動性のサポートを示しているか否かを判断する。
【０１５１】
ＲＡＣＨシグネチャの循環シフトされたＺＣシーケンスへのマッピングは、高速移動性をサポートしていない場合、「ＦＡＬＳＥ」又は「０」の値を有する情報ビットにより示されているように、各セル毎に容易に実行できる。ＵＥ１及びＥ−ＵＴＲＡＮ２は、所定インデックスＭに対する全ての可能な循環シフトがマッピングされるまでＲＡＣＨシグネチャを同一のＺＣシーケンスのＴ０により以後の循環シフトバージョンに増分マッピングしながら（ｉｎｃｒｅｍｅｎｔａｌｌｙ  ｍａｐｐｅｄ）前記ＲＡＣＨシグネチャをインデックスＭのＺＣシーケンスにマッピングすることができる。前記シグネチャの総数が標準又はシステム情報に指定されている値と一致するまで新しい連続したインデックスＭが追加される。
【０１５２】
Ｅ−ＵＴＲＡＮ２は、ＵＥ１が要求された数のプリアンブルを生成するために連続するインデックスを利用するとき、ただ１つのインデックスＭをブロードキャストできる。又は、ＵＥ１がセット内の第１インデックスを利用した後、セット内の連続するインデックスを利用して、高いシーケンスインデックス又は低いシーケンスインデックスから開始して同じ方式でシグネチャマッピングを行うとき、Ｅ−ＵＴＲＡＮ２は、互いに必ずしも連続する必要がない１セットの複数のインデックスＭをブロードキャストする。
【０１５３】
特に、ＵＥ１は、ＲＡＣＨシグネチャを前記受信されたインデックスＭの第１ＺＣシーケンス又は受信されたリストに含まれる第１インデックスＭにマッピングすることにより、前記ＲＡＣＨシグネチャの循環シフトされたＺＣシーケンスへのマッピングを開始する。その後、ＵＥ１は、ＲＡＣＨシグネチャの最大数に達するか、インデックスＭの全ての可能な循環シフトが取得されるまで、次に続くシグネチャを以後の右循環シフトバージョン（ｒｉｇｈｔ−ｃｙｃｌｉｃ−ｓｈｉｆｔｅｄ  ｖｅｒｓｉｏｎｓ）に同じＺＣシーケンスの最小循環シフト長（Ｔ０）だけ増分マッピングする。
【０１５４】
ＵＥ１は、インデックスＭの全ての可能な循環シフトが利用されるまでにＲＡＣＨシグネチャの最大数に達しない場合、次のシグネチャを次のＺＣシーケンスインデックス（Ｍ＋１）又はリスト内の次のインデックスにマッピングする。その後、ＵＥ１は、次に続くシグネチャを以後の右循環シフトバージョンに最大循環シフト長（Ｔ０）だけマッピングする。このようなシグネチャマッピングは、全てのＺＣシーケンスインデックスにわたって繰り返された後、ＲＡＣＨシグネチャの最大数に達すると終了する。
【０１５５】
セルが高速移動性のＵＥ１をサポートしている場合に循環シフトの限られたセットを利用する規則は、前記情報ビットが「ＴＲＵＥ」又は「１」の値を有するときに適用される。このような規則は、標準に定められているか、Ｅ−ＵＴＲＡＮ２によりブロードキャストされる。
【０１５６】
ＵＥ１及びＥ−ＵＴＲＡＮ２は、前記インデックスＭに比例する利用可能な循環シフトを計算した後、シグネチャの総数が標準又はシステム情報に定められている値と一致するまで前記循環シフトを比例的に調整して新しい連続するインデックス（Ｍ＋１）を追加する。このような３つの循環シフトアプローチ方式とシーケンスインデックスＭとの関係は、図１８に示すように適用される。
【０１５７】
ＵＥ１が要求される数のプリアンブルを生成するために連続したインデックスを利用するとき、Ｅ−ＵＴＲＡＮ２は、ただ１つのインデックスＭをブロードキャストできる。又は、ＵＥ１がセット内の第１インデックスを利用した後、セット内の連続するインデックスを利用して高いシーケンスインデックス又は低いシーケンスインデックスから開始して同じ方式でシグネチャマッピングを行い、高いシーケンスインデックス又は低いシーケンスインデックスから開始して図１８に示す関係を適用して同じ方式でシグネチャマッピングを行うとき、Ｅ−ＵＴＲＡＮ２は、互いに必ずしも連続する必要がない１セットの複数のインデックスＭをブロードキャストする。
【０１５８】
特に、ＵＥ１は、受信されたインデックスＭ又は受信されたリスト内の第１インデックスＭに対して、利用できる循環シフトの限られたセットによって適用できる循環シフトを判断することにより、ＲＡＣＨシグネチャの循環シフトされたＺＣシーケンスへのマッピングを開始する。前述された規則は一例として利用されるが、前記循環シフトの限られたセットを決定するためのそれ以外の他の可能な規則も適用できるということを認知すべきである。
【０１５９】
ＵＥ１は、
【０１６０】
【数４】
2010518724.tif 000017
である場合、第１アプローチ方式で最小循環シフトＴｍｉｎを決定する。
【０１６１】
ＵＥ１は、
【０１６２】
【数５】
2010518724.tif 000018
である場合、第２アプローチ方式で最小循環シフトＴｍｉｎを決定する。
【０１６３】
ＵＥ１は、
【０１６４】
【数６】
2010518724.tif 000019
である場合、第３アプローチ方式で最小循環シフトＴｍｉｎを決定する。
【０１６５】
前記判断されたＴｍｉｎ値は、インデックスＭの最小循環シフトに設定される。
【０１６６】
ＵＥ１は、第１シグネチャを前記受信されたインデックスＭの第１ＺＣシーケンス又は受信されたリスト内の第１インデックスＭにマッピングする。その後、ＵＥ１は、ＲＡＣＨシグネチャの最大数に達するまで又はインデックスＭの全ての可能な循環シフトが取得されるまで、次に続くシグネチャを以後の右循環シフトバージョンに同じＺＣシーケンスインデックスＭの最小循環シフト長Ｔｍｉｎだけ増分マッピングする。
【０１６７】
ＵＥ１は、インデックスＭの全ての可能な循環シフトが利用されるまでにＲＡＣＨシグネチャの最大数に達しない場合、次のＺＣシーケンスインデックスＭ又は前記リスト内の次のインデックスを選択した後、次のシグネチャをインデックス（Ｍ＋１）のＺＣシーケンス又は前記リスト内の次のインデックスにマッピングする。ＵＥ１は、
【０１６８】
【数７】
2010518724.tif 000020
である場合、第１アプローチ方式で最小循環シフトＴｍｉｎを決定する。
【０１６９】
ＵＥ１は、
【０１７０】
【数８】
2010518724.tif 000021
である場合、第２アプローチ方式で最小循環シフトＴｍｉｎを決定する。
【０１７１】
ＵＥ１は、
【０１７２】
【数９】
2010518724.tif 000022
である場合、第３アプローチ方式で最小循環シフトＴｍｉｎを決定する。
【０１７３】
前記判断されたＴｍｉｎ値は、インデックス（Ｍ＋１）の最小循環シフトに設定される。
【０１７４】
前記判断されたＴｍｉｎ値は、インデックス（Ｍ＋１）の最小循環シフトに設定される。その後、ＵＥ１は、ＲＡＣＨシグネチャの最大数に達するか、インデックス（Ｍ＋１）の全ての可能な循環シフトが取得されるまで、次に続くシグネチャを以後の右循環シフトバージョンに同じＺＣシーケンスインデックス（Ｍ＋１）の最小循環シフト長Ｔｍｉｎだけ増分マッピングする。このようなシグネチャマッピングは、全てのＺＣシーケンスインデックスにわたって繰り返された後、ＲＡＣＨシグネチャの最大数に達すると終了する。
【０１７５】
図１９は、移動局（ＭＳ）又はＵＥ１を示すブロック図である。ＡＴ２は、プロセッサ（又は、デジタル信号プロセッサ）５１０、ＲＦモジュール５３５、電力管理モジュール５０５、アンテナ５４０、バッテリ５５５、ディスプレイ５１５、キーパッド５２０、メモリ５３０、ＳＩＭ（ｓｕｂｓｃｒｉｂｅｒ  ｉｄｅｎｔｉｆｙ  ｍｏｄｕｌｅ）カード（オプション）５２５、スピーカ５４５、及びマイク５５０を含む。
【０１７６】
ユーザは、キーパッド５２０のボタンを押すか、マイク５５０を利用した音声認識により電話番号のような指示情報を入力する。マイクロプロセッサ５１０は、前記指示情報を受信及び処理して前記入力された電話番号をダイヤルするなどの適切な機能を行う。動作データ（ｏｐｅｒａｔｉｏｎａｌ  ｄａｔａ）は、ＳＩＭカード５２５又はメモリモジュール５３０から検索されて、その機能を行う。また、プロセッサ５１０は、ユーザの参照及び便宜のために、前記指示及び動作情報をディスプレイ５１５に表示することができる。
【０１７７】
プロセッサ５１０は、指示情報をＲＦモジュール５３５に送信し、例えば音声通信データを含む無線信号の送信などの通信を開始する。ＲＦセクション５３５は、無線信号を受信及び送信するための受信機及び送信機を含む。アンテナ５４０は、前記無線信号の送受信を容易にする。無線信号を受信すると、ＲＦモジュール５３５は、受信した前記無線信号をベースバンド周波数に変換し、プロセッサ５１０の処理のためにプロセッサ５１０に伝送する。前記処理された信号は、例えば、スピーカ５４５から出力される聞き取り又は読み取り可能な情報に変形される。プロセッサ５１０は、ここに記述されている多様なプロセスを行うために必要なプロトコル及び機能を含む。
【０１７８】
本発明の思想や重要な特性から外れない限り、本発明は多様な形態で実現することができ、前述した実施形態は前述した詳細な記載内容によって限定されるのではなく、添付された請求の範囲に定義された本発明の精神や範囲内で広く解釈されなければならず、本発明の請求の範囲内で行われるあらゆる変更及び変形、並びに請求の範囲の均等物は本発明の請求の範囲に含まれる。
【０１７９】
前述した実施形態と利点は本発明を制限するものでなく、単なる例示にすぎない。本発明は、他の形態の装置にも容易に適用できる。
【０１８０】
本発明の詳細な説明は請求の範囲を制限するものでない。当該技術分野における通常の知識を有する者であれば多様な代案、変更、変形が可能であることを理解できるであろう。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造をも含む。
【図１】
2010518724.tif 000023
【図２】
2010518724.tif 000024
【図３】
2010518724.tif 000025
【図４】
2010518724.tif 000026
【図５】
2010518724.tif 000027
【図６】
2010518724.tif 000028
【図７】
2010518724.tif 000029
【図８】
2010518724.tif 000030
【図９】
2010518724.tif 000031
【図１０】
2010518724.tif 000032
【図１１】
2010518724.tif 000033
【図１２】
2010518724.tif 000034
【図１３】
2010518724.tif 000035
【図１４】
2010518724.tif 000036
【図１５】
2010518724.tif 000037
【図１６】
2010518724.tif 000038
【図１７】
2010518724.tif 000039
【図１８】
2010518724.tif 000040
【図１９】
2010518724.tif 000041
【国際調査報告】
2010518724.tif 000042